(57)【要約】      （修正有）【課題】手動機械加工ツールに使用するのに適したツールデバイスを提供する。【解決手段】ツールデバイスは、駆動デバイスから駆動力を受けるための装着デバイスを備え、この装着デバイスは、ツール回転軸５から空間的に離れた少なくとも２つの駆動エリア領域を備え、駆動デバイスは前記駆動エリア領域と適合する形状の表面を有して前記装着デバイスと係合して駆動デバイスから装着デバイスに駆動力を伝える。駆動エリア領域のそれぞれは複数の表面点を有し、表面点上の接平面は軸平面に対して傾斜し、接平面がツール回転軸に垂直に延伸する径平面に対して傾斜し、記ツールデバイスは装着デバイスの領域内に第１の上部境界平面および第２の下部境界平面を備え、これら境界平面はツール回転軸に垂直に配置され、且つ両境界平面は互いに空間的に離れ、駆動エリア領域は、両境界平面の間に配置される。【選択図】図１８
2020032530.tif 000002
【特許請求の範囲】
【請求項１】
駆動軸の周囲を回転振動する駆動デバイスを有する機械加工ツールと共に使用するために適したツールデバイスであって、
前記ツールデバイスは、前記駆動軸およびツール回転軸が一致するように前記機械加工ツール内に固定される構成であり、
前記ツールデバイスは、前記駆動デバイスから駆動力を受けるための装着デバイスを備え、
前記装着デバイスは、前記ツール回転軸から空間的に離れた少なくとも２つの駆動エリア領域を備え、
前記少なくとも２つの駆動エリア領域のそれぞれは複数の表面点を有し、
前記表面点上の接平面は前記ツール回転軸を含む軸平面に対して傾斜し、
前記接平面が前記ツール回転軸に垂直に延伸する径平面に対して傾斜し、
前記駆動エリア領域は前記装着デバイスと係合して前記駆動デバイスから前記装着デバイスに駆動力を伝えるように構成されており、
前記ツールデバイスは、前記装着デバイスの領域内に、少なくとも１つの第１の上部境界平面および少なくとも１つの第２の下部境界平面を備え、
前記上部境界平面および前記下部境界平面は前記ツール回転軸に垂直に配置され、
前記上部境界平面および前記下部境界平面は互いに空間的に離れ、
前記駆動エリア領域のそれぞれは、１つの前記第１の上部境界平面および１つの前記第２の下部境界平面の間に配置され、
前記装着デバイスは側壁を備え、
前記側壁は前記ツール回転軸から径方向に間隔を有して延伸し、
前記側壁は前記第１の上部境界平面および前記第２の下部境界平面の間で延伸し、
前記側壁は前記駆動エリア領域を備えることを特徴とする、ツールデバイス。
【請求項２】
駆動軸の周囲を回転振動する駆動デバイスを有する機械加工ツールと共に使用するために適したツールデバイスであって、
前記ツールデバイスは、前記駆動軸およびツール回転軸が一致するように前記機械加工ツール内に固定される構成であり、
前記ツールデバイスは、前記駆動デバイスから駆動力を受けるための装着デバイスを備え、
前記装着デバイスは、前記ツール回転軸から空間的に離れた少なくとも２つの駆動エリア領域を備え、前記少なくとも２つの駆動エリア領域のそれぞれは複数の表面点を有し、
前記表面点上の接平面は前記ツール回転軸を含む軸平面に対して傾斜し、
前記接平面が前記ツール回転軸に垂直に延伸する径平面に対して傾斜し、
前記駆動エリア領域は前記装着デバイスと係合して前記駆動デバイスから前記装着デバイスに駆動力を伝えるように構成されており、
前記ツールデバイスは、前記装着デバイスの領域内に、少なくとも１つの第１の上部境界平面および少なくとも１つの第２の下部境界平面を備え、
前記上部境界平面および前記下部境界平面は前記ツール回転軸に垂直に配置され、
前記上部境界平面および前記下部境界平面は互いに空間的に離れ、
前記駆動エリア領域のそれぞれは、１つの前記第１の上部境界平面および１つの前記第２の下部境界平面の間に配置され、
前記装着デバイスはカバーエリア部を備え、
前記カバーエリア部は少なくとも１つの前記駆動エリア領域へ直接的または間接的に接続されており、
前記カバーエリア部の延伸部は前記ツール回転軸に垂直な少なくとも１つの部品を有し、
前記カバーエリア部は、前記上部境界平面の１つの領域内に配置されることを特徴とす
る、ツールデバイス。
【請求項３】
少なくとも１つの駆動エリア領域が少なくとも平面である部位内に存在する、または少なくとも湾曲部に存在することを特徴とする、請求項１または２に記載のツールデバイス。
【請求項４】
複数の前記駆動エリア領域は単一の前記第１の上部境界平面および単一の前記第２の下部境界平面の間で延伸することを特徴とする、請求項１から３のいずれか一項に記載のツールデバイス。
【請求項５】
前記ツールデバイスは、前記装着デバイス内において、壁厚ｔを有し、
前記第１の上部境界平面および前記第２の下部境界平面は、互いに距離Ｔをおいて空間的に離れ、
前記距離Ｔは前記ｔの１倍より大きく、前記ｔの２０倍より小さいことを特徴とする、請求項１から４のいずれか一項に記載のツールデバイス。
【請求項６】
複数の前記駆動エリア領域は、前記ツール回転軸の周囲に回転的対称的に配置されていることを特徴とする、請求項１から５のいずれか一項に記載のツールデバイス。
【請求項７】
少なくとも２つの前記駆動エリア領域は対称平面内に対称的に配置され、
前記ツール回転軸は前記対称平面内に位置することを特徴とする、請求項１から６のいずれか一項に記載のツールデバイス。
【請求項８】
前記側壁は平均壁厚（ｔ1）を有し、前記平均壁厚は０．２ｍｍ以上で４ｍｍ以下であ
り、および／または、
前記側壁は前記ツール回転軸の周囲で閉じて径方向に延伸することを特徴とする、請求項１に記載のツールデバイス。
【請求項９】
前記カバーエリア部は前記ツール回転軸の方向の径方向に延伸し、前記カバーエリア部は少なくとも１つの凹部を有することを特徴とする、請求項２又は請求項２に従属する請求項３から８のいずれか一項に記載のツールデバイス。
【請求項１０】
１つまたは複数の前記凹部は、前記ツール回転軸の領域内に配置されることを特徴とする、請求項９に記載のツールデバイス。
【請求項１１】
全ての前記接平面の前記法線ベクトルは、前記ツール回転軸から離れる方向の前記径方向に向く、または
全ての前記接平面の法線ベクトルは前記ツール回転軸の方向の前記径方向に向くことを特徴とする、請求項１から１０のいずれか一項に記載のツールデバイス。
【請求項１２】
前記ツールデバイスは少なくとも１つの操作領域、少なくとも１つの前記装着デバイス、および、少なくとも１つの接続領域を備え、前記操作領域は加工対象物群または加工対象物上に作用するように配置され、
前記接続領域は前記装着デバイスおよびそれぞれの前記操作領域の間に配置されることを特徴とする、請求項１から１１のいずれか一項に記載のツールデバイス。
【請求項１３】
１つの前記接平面と、前記ツール回転軸に垂直に配置される前記径平面との間は角度αをなし、
前記角度αは９０度以下で、０度より大きいことを特徴とする、請求項１から１２のいずれか一項に記載のツールデバイス。
【請求項１４】
１つの前記接平面と、前記ツール回転軸が前記軸平面内に配置される前記軸平面との間が角度βをなし、
前記角度βは、９０度以下で、０度より大きいことを特徴とする請求項１から１３のいずれか一項に記載のツールデバイス。
【請求項１５】
前記装着デバイスは、偶数個の前記駆動エリア領域を有することを特徴とする、請求項１から１４のいずれか一項に記載のツールデバイス。
【請求項１６】
前記装着デバイスは、前記ツール回転軸に直角な断面形状が多角形状で且つその辺が内方に窪んだ形状である星形形状を有し、前記駆動エリア領域が前記星形形状の内方に窪んだ辺に沿って配置されていることを特徴とする、請求項１５に記載のツールデバイス。
【請求項１７】
前記装着デバイスは前記ツール回転軸から径方向に空間的に離れて延伸すると共に前記駆動エリア領域を有する側壁を備える構成によって、前記装着領域の領域内は中空円錐形凹部となり、該凹部は前記ツール回転軸に垂直な平面内において前記ツール回転軸に対する前記側壁の距離が変化する断面部を有することを特徴とする、請求項１から１６のいずれか一項に記載のツールデバイス。
【請求項１８】
駆動軸の周囲で回転振動動作する駆動デバイスを有する機械加工ツールに、ツールアクセサリを接続するのに適した接続デバイスであって、
前記接続デバイスは第１の接続領域および第２の接続領域を備え、
前記第１の接続領域は前記接続デバイスを前記機械加工ツールに接続するために設けられ、前記駆動軸と接続デバイス回転軸とが一致するように、前記接続デバイスを前記機械加工ツールに接続することが可能であり、
前記第２の接続領域は前記接続デバイスを前記ツールアクセサリに接続するために設けられ、
少なくとも１つの前記接続領域に装着デバイスを備え、
前記装着デバイスは、前記接続デバイス回転軸から空間的に離れた少なくとも２つの駆動エリア領域を備え、
前記少なくとも２つの駆動エリア領域のそれぞれは複数の表面点を有し、
前記表面点上の接平面は前記ツール回転軸を含む軸平面に対して傾斜し、
前記接平面が前記接続デバイス回転軸に垂直に延伸する径平面に対して傾斜し、
前記駆動エリア領域は前記装着デバイスと係合して前記駆動デバイスから前記装着デバイスに駆動力を伝えるように構成されており、
前記ツールデバイスは、前記装着デバイスの領域内に、少なくとも１つの第１の上部境界平面および少なくとも１つの第２の下部境界平面を備え、
前記上部境界平面および前記下部境界平面は前記接続デバイス回転軸に垂直に配置され、
前記上部境界平面および前記下部境界平面は互いに空間的に離れ、
前記駆動エリア領域のそれぞれは、１つの前記第１の上部境界平面および１つの前記第２の下部境界平面の間に配置され、
前記装着デバイスは側壁を備え、
前記側壁は前記接続デバイス回転軸から径方向に間隔を有して延伸し、
前記側壁は前記第１の上部境界平面および前記第２の下部境界平面の間で延伸し、
前記側壁は前記駆動エリア領域を備えることを特徴とする、接続デバイス。
【請求項１９】
前記第１の接続領域は前記接続回転軸に対して回転的対称的に配置され、前記第２の接続領域は前記接続回転軸に対して回転的対称的または回転的非対称的に配置されることを特徴とする、請求項１８に記載の接続デバイス。
【請求項２０】
前記接続デバイスは第１の保持デバイスを備え、
前記第１の保持デバイスは少なくとも前記第１の接続領域および前記機械加工ツールと協働するように構成され、
前記接続デバイスは少なくとも１つの第２の保持デバイスを有し、
前記第２の保持デバイスは前記第２の接続領域および前記ツールアクセサリと協働するように構成されていることを特徴とする、請求項１８または１９に記載の接続デバイス。
【請求項２１】
前記第１の保持デバイスは第１の保持シャフトを有し、
前記第２の保持デバイスは第２の保持シャフトを有し、
前記第１の保持シャフトおよび前記第２の保持シャフトは平行に配置される、または互いに傾斜して配置されることを特徴とする、請求項１８から２０のいずれか一項に記載の接続デバイス。
【請求項２２】
請求項２又は請求項２に従属する請求項３から１７のいずれか一項に記載の少なくとも２つのツールデバイスのシリーズであって、
前記シリーズのツールデバイスの各々は参照平面を有し、
前記参照平面は、前記ツール回転軸に対して垂直に配置され、前記参照平面は前記駆動エリア部の参照直径を有し、
前記カバーエリア部の第１の表面の距離Δは、前記シリーズの複数のツールデバイスの前記参照平面上であり、第１の下部リミットと第２の下部リミットとの間に位置し、前記第１の下部リミットは０．０１ｍｍより大きく、前記第２の上部リミットは０．５ｍｍより小さく、
前記距離Δは前記シリーズの異なるツールデバイスの間で一定であることを特徴とする、少なくとも２つのツールデバイスのシリーズ。
【請求項２３】
前記シリーズのツールデバイスは異なる壁厚ｔを有する複数のタイプを有することを特徴とする、請求項２２に記載の少なくとも２つのツールデバイスのシリーズ。
【請求項２４】
前記ツールデバイスのそれぞれは、自身の位置が前記ツール回転軸および前記駆動エリア領域に等しく配置されているエンコーディング領域を有し、
前記ツールデバイスの各々は駆動力における少なくとも１つの応用パラメータによって特徴付けられており、前記エンコーディング領域は、少なくとも１つの応用パラメータを特徴付ける少なくとも１つのエンコーディングデバイスを備え、
少なくとも第１のツールデバイスは、第１のエンコーディング要素と協働する第１のエンコーディングデバイスを有し、
少なくとも第２のツールデバイスは、第２のエンコーディング要素と協働する第２のエンコーディングデバイスを有し、
前記エンコーディングデバイスおよび前記エンコーディング要素は、
前記第１のエンコーディング要素が前記第１のエンコーディングデバイスおよび前記第２のエンコーディングデバイスと協働することが可能となるように構成され、
前記第２のエンコーディング要素が前記第２のエンコーディングデバイスとのみ協働することが可能であり、前記第１のエンコーディングデバイスとは協働することが不可能であるように構成される、
ことを特徴とする、請求項２２または２３に記載の少なくも２つのツールデバイスのシリーズ。
【請求項２５】
少なくとも１つの前記エンコーディングデバイスの基本エリアの形状は、
−  複数の角部を有する多角形
−  円、
−  楕円形、
−  可変半径または一定半径を有する円弧、
−  上記形状の組合せ、
の形状グループから選択されることを特徴とする、請求項２４に記載の少なくも２つのツールデバイスのシリーズ。
【請求項２６】
少なくとも２つの前記エンコーディングデバイスは異なるサイズの同一幾何学的形状を有することを特徴とする、請求項２４または２５に記載の少なくも２つのツールデバイスのシリーズ。
【請求項２７】
少なくとも１つの前記エンコーディングデバイスはエンコーディング参照平面内において嵩上げ領域として設計され、前記エンコーディングデバイスの少なくとも１つの延伸部は他の前記エンコーディングデバイスの対応する延伸部よりも大きい、または
少なくとも１つの前記エンコーディングデバイスは凹部として設計され、
前記エンコーディングデバイスの少なくとも１つの延伸部は他の前記エンコーディングデバイスの対応する延伸部よりも大きいことを特徴とする、請求項２４から２６のいずれか一項に記載の少なくも２つのツールデバイスのシリーズ。
【請求項２８】
前記エンコーディング領域は前記カバーエリア部の領域内に配置されることを特徴とする、請求項２４から２７のいずれか一項に記載の少なくも２つのツールデバイスのシリーズ。
【請求項２９】
請求項１から１７のいずれか一項に記載のツールデバイスを製造する方法であって、
前記方法は、駆動エリア領域を製造するために、鍛造、プレス、圧延、押出、折り曲げ、深絞り、ビーディング加工、フランジ加工、歪み取り、曲げ、延伸、圧縮、焼結、鍛造、多層コーティングのような、基本的な形状形成プロセス・ステップ、または、再形状形成プロセス・ステップ、または、一般的形状形成プロセス・ステップ、または、これら複数の形状形成プロセス・ステップの組合せが用いられ、
ツール輪郭を製造するために、鋸引き、研磨、粉砕、穿孔、剪断、粒子ビーム切断、電子ビーム切断、レーザ切断、プラズマ切断、ガス切断、放電切断のような分離プロセス・ステップ、熱的分離プロセス・ステップ、および／または、機械的分離プロセス・ステップ、または、これらの分離プロセス・ステップの組合せが用いられる、ことを特徴とする、ツールデバイスを製造する方法。
【発明の詳細な説明】
【技術分野】
【０００１】
優先出願であるドイツ出願２０  ２０１３  ００６  ９２０．１の全ての内容は本出願に参照によって含まれる。
【０００２】
本発明は機械加工ツール、特に駆動軸の周囲で動作する駆動デバイスを有する手動機械加工ツールと共に使用されるのに適するツールデバイスに関する。
【背景技術】
【０００３】
本発明は、主に機械加工ツール、特に駆動軸の周囲を回転する駆動デバイスを有する手動機械加工ツールと共に使用するのに適したツールデバイスの例を用いて、以下に記載される。説明におけるこの限定は、前述のツールデバイスの使用可能性を限定することを意図していない。
【０００４】
用語「ツールデバイス」に替えて、以降の説明では、よりシンプルな表現である用語「ツール」もまた用いられる。しかし、このことは内容を限定するものではない。
【０００５】
機械加工ツールは１つ以上のモータ駆動、おそらく１つ以上の伝達デバイスを有するデバイスである。ツールデバイスの駆動デバイスは、それによってトルクがツールデバイスに適用される部品または部品群であり、一般に、駆動シャフト／出力シャフト、駆動スピンドル／出力スピンドル、等である。
【０００６】
手動機械加工ツールは、特に、操作者がハンドル等によって、ツールが装着された機械加工ツールを操作することが可能となる保持デバイスを備える。典型的には、手動機械加工ツールは電気駆動モータを装備しているが、水圧駆動式機械加工ツール、空気圧駆動式機械加工ツール、人力駆動機械加工ツールのような既知の他のタイプもまた知られている。
【０００７】
既存技術では、円周方向の駆動デバイスを有する機械加工ツールと共に使用することを意図した多様なツールが既知である。そのようなツールとしては、例えば、ドリル、研磨盤、切削ディスク、丸鋸、等である。このようなツールは出力デバイスに装着され、用途に応じて、ツールおよびマシンは０付近から数千ｒｐｍ（回転毎分）、特殊な例では非常に高速度で回転する。動作中、ツールは概して高圧で被加工物と接触させられ、次いで、対応する機械加工が行われる。旋回軸からの距離で発生する機械加工力、例えば、切削力または研磨力は、結果として駆動シャフト周辺のトルクとなり、機械加工ツールからツールへ伝達されるトルクによって補償される。駆動モーメントのツールへの伝達は、ツールを駆動デバイスに固定するためのツールの装着デバイスを経由して行なわれる。機械加工の間、ツールは常に本質的に同一方向に回転する、このため、装着デバイス上に作用する力は本質的に同一方向で発生する、しかし、高さが異なる。
【０００８】
既存技術では、機械加工ツールは回転振動ツール受容デバイスを有する機械加工ツールが既知である。ツールデバイスの振動駆動は、特に弓鋸デバイスとして既知であるハブ無しの振動駆動であると理解すべきである。弓鋸デバイスは、ここでは特に、キーホール鋸デバイス、セーバー鋸デバイス、またはドライウォール鋸デバイス、等として理解すべきである。振動駆動デバイスを有する機械加工ツールは、ここでは、ツール駆動デバイスが第１の回転方向内の中心位置から動作を開始し、動作が停止し、次に動作が停止するまで逆方向に回転動作する時の、ツール駆動デバイスの運動を有する機械加工ツールであると理解すべきである。
【０００９】
中心位置から各停止位置までの角度距離は典型的には５度までであっても良い。しかしながら、実用的機械では、１度から２．５度が一般的であり、全体の角度動作（第１から第２の終端位置）が２度から５度に相当する。この振動動作は典型的には毎分５，０００から５０，０００回となる。しかしながら、より少ないあるいはより多い（毎分振動数と表現する）振動回数とすることが可能である。
【００１０】
機械加工力は運動方向、または回転方向のそれぞれと常に逆方向であることが既知であるように、回転方向の逆転は、また、ツールの機械加工力の方向変化を引き起こす。機械加工力がその方向を変化することは、回転軸に対するツールの操作点の距離であるレバーアームに対応するトルクとなり、トルクは振動の方向を逆転する。機械加工力の結果によるトルクは、機械加工中および空転中に有効である他の運動量、すなわち、ツールの最高速度（例えば、ツール受容デバイスの正弦波回転速度変化の正弦曲線の最大振幅値）の後でのツールの減速、および回転運動の逆転の後で発生する反対方向でのツールの再加速に対してのツール・トルクの慣性モーメントに重畳される。
【００１１】
機械加工力によって、および振動の運動力学的要素によって発生するトルクは機械加工ツールによって適用され、駆動デバイスを経由してツールデバイス内へ誘導される。
【発明の概要】
【発明が解決しようとする課題】
【００１２】
本発明は、駆動デバイスを経由して導入されるトルクが容易に吸収可能となる方法で、ツールデバイスを設計することを目的とする。
【課題を解決するための手段】
【００１３】
この目的は請求項１に規定する内容によって達成される。
【００１４】
本発明の好ましい実施形態は従属請求項に規定する内容である。
【００１５】
本発明に基づけば、ツールデバイスは装着デバイスを備え、装着デバイスによって、駆動シャフトおよびツール回転軸が実質的に一致するような方法で、ツールデバイスを機械加工ツール上に固定可能である。用語「駆動シャフト」および用語「ツール回転軸」は、それぞれ、機械加工ツールの幾何学的な回転軸およびツールデバイスの幾何学的な回転軸を意味する。
【００１６】
さらに、このツール回転軸から空間的に離れ、それぞれが複数の表面点を備える、少なくとも２つの駆動エリア領域が提供される。用語「駆動エリア領域（以降の段落では時には「駆動エリア」と記載することがある）」は、機械加工ツールからのトルクをうける機械加工ツールの出力デバイスと少なくとも部分的に、直接的または間接的に接触するエリアである。用語「表面点」は駆動エリア領域の上側の点を意味し、これは幾何学的に理解すべきである。
【００１７】
用語は接平面がエリアの上に載置される幾何学的な点を特徴付けるように使用される。接点に垂直な表面上のベクトルは空間内のこの点の表面の方向を示し、例えば３次元座標、他の参照平面、または参照表面で定義される。
【００１８】
表面上の全ての点は同時に表面点であるため、表面は無限の数の表面点を有する。一方向に湾曲した表面、または多方向に湾曲した表面を記述するために、しかしながら、限定された数の表面点を用いることは実用的な意味で十分である。用語「一方向に湾曲した」は、円筒形状表面、例えば各点が一方向に湾曲している円筒形状表面として理解すべきで
ある。用語「多方向に湾曲した」は少なくとも１つの点で複数の方向に湾曲した表面、例えば球体表面として理解すべきである。
【００１９】
平らな表面は唯一の接平面を有し、それ自体の表面と一致する。平らな表面を特徴付けるためには、このため、唯一の表面点で十分であり、これは平らな表面のどの点にも当てはまる。
【００２０】
表面点は幾何学的な点であり、表面上で視覚可能であるわけではない。
【００２１】
これらの表面点に対する接平面において、特別な幾何学的条件を適用する。幾何学的には一般に、接平面は表面点の法線ベクトルに垂直に形成される平面であり、表面点で表面と接する。用語「法線ベクトル」はこの表面点において表面に正確に垂直な方向を持つ。
【００２２】
この表面点上の接平面は二方向に傾斜する。一方で、接平面は出力シャフトを含む軸平面に対して傾斜する。さらに、これらの接平面は出力シャフトに対して垂直な方向に延伸する径平面に対して傾斜する。
【００２３】
このように、この駆動エリア領域の配置は、振動機械加工用の既知のツールデバイスと比較して異なる。
【００２４】
既知のツールデバイス、例えばドイツ出願１０  ２０１１  ００５  ８１８  Ａ１およびドイツ実用新案出願２９６  ０５  ７２８  Ｕ１に示されている例では、機械加工ツールの駆動デバイスへの接続領域内のツールは実質的に平面設計である。このことは、ツールはツール回転軸に垂直である平面内のこのエリア内で延伸することを意味する。
【００２５】
好ましい実施形態では、駆動エリア領域が実質的に平坦であることを既に注記した。これは、全ての表面点の法線ベクトルが互いに平行に揃えられ、このため、駆動エリア領域は全体として１つの接平面を有することを意味する。しかしながら、本発明の範囲内において、駆動エリア領域は一方向また二方向に湾曲していることもまた可能である。この場合には、法線ベクトルはもはや互いに平行ではない。
【００２６】
本発明は以下の考察に基づく。
【００２７】
トルクが適用されるツールの領域は、振動動作に起因する交互の曲げストレスにさらされる。これらは、一般的にツールを製造する材料が金属材料である場合に特に問題である。金属は結晶構造を有する。局部的過負荷が金属部品の領域で発生すれば、これはこの点で部品に作用するストレスが部品にとって許容範囲であるストレス以上であり、次いで、マイクロクラックが金属の微細構造の個々の粒子間に発生することを意味する。これらのマイクロクラックは２つの点で部品の強度に影響する。一方で、マイクロクラックが発生した領域では部品内で張力が伝達されない。これは、この領域内のストレスがクラック形成によって増加し、力伝達の点で有効領域が減少することを意味する。
【００２８】
他方、機械加工技術分野において一般に「ノッチ・エフェクト」と呼ばれる現象が発生する。この名称は、特に鋭角形状であるノッチ（切欠き）領域内に局部的な応力の集中が発生し、ノッチ周辺の領域内で材料が剪断応力を受けることに由来する。この剪断応力はそのような幾何学形状に影響を受けない状態の部品領域内での剪断応力よりも強い。
【００２９】
これらの増加した応力はクラック形成を進行させ、結果として部品の破損に至る。
【００３０】
このプロセスは、例えばPalmgren および Minerの論文内に記載され、損傷の蓄積（dam
age accumulation）と呼ばれる。
【００３１】
振動負荷、特に交互曲げストレスを許容する材料または部品の特性は、通常、部品のＳ−Ｎ曲線と呼ばれる曲線で表される。Ｓ−Ｎ曲線は繰り返し負荷、負荷を変化させるヴェーラー疲労試験において、特に部品が（材料に依存するが）２百万回から６百万回の負荷変化において損傷無しである場合に、多くの場合において、スチール部品は永久的に許容可能であるとする。機械加工技術分野では材料または部品の疲労強度と呼ばれる。
【００３２】
振動駆動ツールは、上述したように、例えば毎分２０，０００の周波数でスイングする。これは、操作固定部品の設計において、毎分２０，０００負荷サイクルまたは毎時１．２百万回サイクルを意味する。
【００３３】
２百万回負荷サイクルストレス試験の低い疲労限度は、このように機械加工ツールまたはツールの２時間以上の操作となる。
【００３４】
本発明の設計においては、トルク負荷が増加してもツールデバイスが耐えられる程度のトルク増加である。これは第１に駆動エリアを回転軸に対して距離を置いて配置することで実現される。理由は、ツールによって受容される力はトルクと距離の比によって決定され、Ｆｒ＝Ｍ／ｒ（Ｍ：測定されるトルク（単位Ｎｍ）、Ｆ：点ｒで測定される力（単位Ｎ）、ｒ：ツール回転軸からの作用点の距離（単位ｍ））に従うからである。
【００３５】
力の作用点が外側に広がれば、すなわち、ツール回転軸から離れれば、トルクは減少する。
【００３６】
駆動エリアの傾斜は力の作用点が全体として増加する結果となり、それによって局部的負荷は減少し、ツールの残りの領域内における力の導入は、適切に設計することで、改善される。
【００３７】
振動するマシンにおいて一般的に使用される鋸ツールおよび切断ツールのようなツールデバイスの部分は、例えば、円周方向に配置された操作領域を有する。ツールの操作領域はこのようにツール回転軸に垂直な平面内で本質的に延伸する。
【００３８】
既存技術では、そのようなツールにおいて接続領域もまた平面であることが一般的である。次に、例えばピン、駆動星形配置、等によって、駆動運動はツール平面に垂直な方向の力として開始される。ツール平面内において、ツールは特に硬く、力の導入は相対的に小さな領域上においてのみ行なわれる。この領域ではより高い局所的ストレスとなり、ツールの操作安定性を減少させる。
【００３９】
本発明によれば、そのようなツールにおいて、力の伝達は最初に傾斜エリアから適用される。このため、対応する構造では、力の伝達エリアが増加し、それによって局所的負荷が減少する。
【００４０】
この点において、ピーク負荷を減少させることが本質であることに留意すべきである。何故なら、前述のマイクロクラックに至るストレス集中によってツールの疲労あるいは破損が発生し、さらには進行するからである。ピークストレス集中の減少はツールの耐用年数の著しい増加を実現できる。
【００４１】
好ましい実施形態によれば、表面点上の全ての法線ベクトルがツール回転軸を通過して延伸する直線上を通過する、少なくとも１つの駆動エリア領域が存在する。そのため、そのような駆動エリア領域は表面の全ての点がツール回転軸の方向を向く。しかし、駆動エ
リア領域はツール回転軸に対して「ねじれ」ている。これによって、機械加工ツールの駆動力は表面上の全ての点における駆動エリア領域上において接線方向に導入され、そのため、トルク伝達は改善される。
【００４２】
既に説明したように、出力エリアは実質的に平面に設計されることが好ましい。これは、出力エリアは実質的に接平面と同一である平面領域を有し、平面領域は端部、単一の湾曲表面または複数の湾曲表面、等によって制限されても良い。端部または湾曲エリアのそれぞれによって、出力エリア領域はツール受容デバイスの他の領域内、特にトルク伝達領域内に通過することができる。
【００４３】
平面駆動エリアの利点は、適切な公差および弾性等の材質特性が与えられて適切に設計されるなら、一方でツールデバイスを隙間なしに機械加工ツールの駆動デバイスの上に確実に固定することが可能となることである。機械加工ツールの駆動デバイスおよびツールデバイス間のエリア接触が可能となり、それによって、力伝達領域が増加する。
【００４４】
さらなる好ましい実施形態によれば、駆動エリアは少なくともその部位内において湾曲している。湾曲は両方向のみならず一方向で設計されても良く、湾曲は固定半径または可変半径を有する凸部または凹部の両方で設計されても良い。
【００４５】
湾曲エリアは、また、その形状によっておよび材料の弾性によって設計することが可能であり、弾性に応じて、湾曲は変化する。特に、湾曲はある負荷で実質的に消える。このことは、実質的に平坦な駆動エリアが提供されることを意味する。
【００４６】
好ましい実施形態では、ツールデバイスは装着デバイスの領域内において少なくとも第１の上部境界平面および少なくとも第２の下部境界平面を備える。この場合には、これらの境界平面は前記ツール回転軸に実質的に垂直に配置される。さらに、好ましくはこれらの２つの境界平面は空間的に離れている。これらの駆動エリア領域の各々はこれらの１つの第１の上部境界平面およびこれらの１つの第２の下部境界平面の間に、好ましくは駆動エリア領域が境界領域を切断するのではなく、それぞれの境界平面と接触するような方法で、配置される。特に、これらの境界領域の間に少なくとも１つの駆動エリア領域を配置することによって、非常に大きな駆動エリア領域を実現することが可能となり、駆動エリア領域上のストレスは相応して小さくなる。好ましくは、駆動エリア領域の第１グループ、しかし、少なくとも１つの駆動エリア領域は１つの前記第１の上部境界平面および１つの前記第２の下部境界平面との間に配置され、より好ましくは駆動エリア領域グループの第２グループはさらに第１の上部境界平面およびさらに第２の下部境界平面の間に配置される。特に、複数の駆動エリア領域のグループ分けおよび境界平面の配置によって、ツールデバイスの簡易な製造と、第２に特にツールデバイス上のトルクの一様な導入の実現との両方が可能となる。
【００４７】
好ましい実施形態では、複数の駆動エリア領域が単一の第１の上部境界平面および単一の第２の下部境界平面の間で延伸する。より好ましくは、これらの駆動エリア領域の全ては単一の第１の上部境界平面および単一の第２の下部境界平面の間で延伸する。特に、１つの第１の上部境界平面および１つの第２の境界平面の間のこれらの駆動エリア領域の延伸によって、小空間スペースしか要求されないトルク伝達エリアを実現することが可能となる。さらには、少ない材料使用要求を実現することができる。特に、駆動エリア領域のこのようなタイプでの設計によって、トルクが特に一様に、これによってツールデバイスに穏やかな方法で伝達されることを実現するという利点となる。
【００４８】
好ましい実施形態では、少なくとも第１の境界平面および第２の境界平面は互いに距離Ｔだけ空間的に離れて配置される。好ましくは、ツールデバイスは、特に装着デバイスの
領域内において実質的に壁厚ｔを備える。より好ましくは、距離Ｔは壁厚ｔとの関係で規定される範囲から選択される。距離Ｔおよび壁厚ｔを関連付けて設定することが有利であることが証明される。特に、これによって、ツールデバイスの装着領域の好ましい剛性比を実現することが可能となり、機械加工ツールからツールデバイスへの好ましいトルク導入を実現することが可能となる。好ましくは距離ＴはＴがｔの１倍より大きい、より好ましくはｔの２倍より大きい範囲から選択する。より好ましくは、ｔの３倍より大きい、さらに好ましくは距離Ｔはｔの２０倍より小さい、好ましくはｔの１０倍より小さい、特にｔの５倍より小さい。特に、仮に壁厚ｔが０．７５ｍｍから３ｍｍの範囲内、好ましくは１から１．５ｍｍの範囲内である場合には、距離Ｔは特に実質的にｔの３．５倍が好ましい。この場合には、実質的にｔの＋／−０．７５倍である。特に、距離Ｔと壁厚ｔとのこの関係を有することで、ツールデバイスでの装着デバイスの剛性比が実現され、それによって、ツールデバイス内への特に好ましいトルク導入を実現することが可能となり、ツールデバイスの長い耐用年数を実現することが可能となる。
【００４９】
好ましい実施形態では、トルク伝達領域は複数の駆動エリア領域を備える。好ましくは、前記複数の駆動エリア領域は「ツール回転軸の周囲に回転的対称的に」配置される。
【００５０】
本出願での「ツール回転軸の周囲に回転的対称的に」は複数の駆動エリア領域が幾何学的にそれ自身をツール回転軸の周囲の円周上に少なくとも０度より大きく３６０度より小さい角度で、またはいかなる角度によっても、特に、これらの角度の１つが３６０度／ｎ（ｎは１より大きな自然数）である全ての角度で配置されることを意味する。
【００５１】
特に、駆動表面領域の回転的対称的配置によって、それぞれ、ツールデバイス上での付加的なストレスを減少させることが可能になり、駆動領域に一様にストレスを加えることが可能になり、これによって特に耐用年数の増加を実現する。より好ましくは、駆動エリア領域の回転的対称的配置によって、ツールデバイスはツール回転軸に対して異なる角度位置で収容可能となる。好ましくは、ツールデバイスはツール回転軸の周囲に離散的角度で移動可能となり、機械加工ツール上に収容可能となる。
【００５２】
好ましい実施形態では、これらの駆動エリア領域の少なくとも２つは対称平面に対称的に配置される。好ましくは、これらの駆動エリア領域の２つ以上、好ましくは４つが対称平面に対称的に配置される。ここで、特にこの対称平面内にツール回転軸が配置される。より好ましくは、これらの駆動エリア領域は実質的に近接して配置される。本発明における「近接して配置」は、特に、駆動エリア領域が遷移領域によって接触しているような配置として理解することができる。好ましくは、そのような遷移領域は湾曲したエリア領域によって、または、エリア領域を延長する少なくとも部分的に平坦な領域によって形成されても良い。より好ましくは、そのような遷移領域は少なくとも１つの、好ましくはこれらの駆動エリア領域の両方における接線方向で近接する。特に、駆動エリア領域の対称的および近接配置によって、駆動エリア領域の高安定性を実現することが可能となる。このため、ツールデバイスへの良好な力伝達を実現することが可能となる。
【００５３】
好ましい実施形態では、装着領域は側壁を有する。好ましくは、前記側壁はツール回転軸から径方向に空間的に離れて延伸している。より好ましくは、この側壁は第１の上部境界平面および第２の下部境界平面の間で延伸している。好ましくは、側壁は駆動エリア領域を備える。特に、側壁を有する装着領域の設計は装着領域の領域内に実質的に中空の円錐形凹部を生じさせる。しかし、この中空円錐形凹部は円形断面を有さないが、ツール回転軸に直交する方向内でツール回転軸に対して側壁は可変で空間的に離れた断面を有する。特に、トルク伝達領域の説明したタイプの実施形態によって、特に安定したトルク伝達領域が実現できるため、ツールデバイス内への良好なトルクの導入を実現することが可能となる。
【００５４】
好ましい実施形態では、側壁は実質的に平均壁厚ｔ１を有する。好ましくは、平均壁厚は実質的に壁厚ｔに対応する。ここで、この壁厚ｔ１およびｔのそれぞれは、前記壁厚が好ましくは０．２ｍｍ以上、好ましくは０．５ｍｍより大、より好ましくは０．８ｍｍより大である範囲から選択されるのが好ましい。より好ましくは、壁厚は４ｍｍ以下、好ましくは２ｍｍより小、より好ましくは１．５ｍｍより小である。より好ましくは、壁厚は実質的に１ｍｍまたは１．５ｍｍであり、または好ましくは１ｍｍから１．５ｍｍの範囲である。特に、壁厚を前述の範囲内で選択することによって、一方で僅かであり低い慣性モーメントを有するツール、他方で十分に安定なツールを得ることが可能となる。
【００５５】
好ましい実施形態では、この側壁はツール回転軸の周囲で閉じて本質的に径方向に延伸する。他の実施形態では、側壁はツール回転軸の周囲の延伸部内に凹部または断面を有する。特に、閉じた円周形の側壁によって、特に安定した装着領域を実現することが可能となる。断面を有する側壁、または凹部を有する側壁によって、特に軽く低い慣性モーメントを有する装着領域を実現することが可能となる。
【００５６】
好ましい実施形態では、装着デバイスはカバー表面部を有する。好ましくは、このカバー表面部は直接的または間接的にこれらの駆動エリア領域を装着している。この場合、カバー表面部の駆動エリア領域との間接的接触が、特に、表面部および駆動エリア領域が接続領域によって互いに接続されると理解すべきである。この場合、そのような接続部分は好ましくは湾曲壁、または、少なくとも領域内において直線で延伸する壁として理解すべきである。好ましくは、少なくとも１つのこれらの駆動エリア領域を有するカバー表面部の直接的接触は、このカバー表面部は駆動エリア領域とは別の製造中間部分によってのみ分離されている、またはカバー表面部は駆動エリア領域と直接的に隣接している、と理解すべきである。そのような別の製造中間部品は特に曲げ半径、傾斜形状、等と理解すべきである。好ましくは、このカバー表面部の延伸はツール回転軸に垂直な少なくとも１つのエリア成分を有する。さらに好ましくは、少なくともカバー表面部は実質的にツール回転軸に垂直な部位内で延伸する。好ましくは、このカバー表面部の構成によって、駆動エリア領域の付加的な安定性を実現することが可能となる。
【００５７】
好ましい実施形態では、カバー表面部は実質的にこれらの第１の上部境界平面の１つの領域内に配置される。好ましくは、装着デバイスはカバー表面部がその内部に配置される領域内において、特に小さい径方向延伸部を有する。さらに好ましくは、カバー表面部は実質的に第１の上部境界平面の領域内にあり、さらに好ましくは、第１の上部境界平面および第２下部境界平面の間に配置される。特に、第１の上部境界平面の領域内へのカバー表面部の配置は容易であり、特に装着デバイスの付加的な安定性を導くことが可能である。
【００５８】
好ましい実施形態では、カバー表面部はツール回転軸外側方向に向かう径方向内に延伸する。さらに好ましくは、カバー表面部は少なくとも１つの凹部を有する。さらに好ましくは、このカバー表面部は複数の好ましくは複数の凹部を有する。特に、これらの凹部によって、ツールデバイスの回転慣性モーメントを減少させることが可能となり、このようにしてそのストレスを減少させることが可能となる。
【００５９】
好ましい実施形態では、少なくとも１つのこれらの凹部は実質的にツール回転軸の領域内に配置される。さらに好ましくは、複数のこれらの凹部は実質的にツール回転軸の範囲内に配置される。「実質的にツール回転軸の範囲内」は、特に、これらの凹部の１つがツール回転軸を含む、または、これらの凹部の少なくとも１つがツール回転軸と直接的に隣接する、または、ツール回転軸から小距離であるとして理解すべきである。特に、ツール回転軸の領域内の１つ、または複数の凹部によって、機械加工ツール上のツールデバイス
の簡易な装着を実現することが可能となり、機械加工ツールからツールデバイスへの良好な力の伝達を実現することが可能となる。
【００６０】
好ましい実施形態では、１つまたは複数のこれらの凹部はツール回転軸の周囲に回転対称的に配置される。さらに好ましくは、これらの凹部の全てはツール回転軸の周囲に回転対称的に配置される。特にこのタイプの凹部の配置によって、前記ツールデバイスの不均衡な運動を避ける、または軽減することが可能となり、改善されたツールデバイスを実現することが可能となる。
【００６１】
好ましい実施形態では、これらの接平面上の１つの法線ベクトルはツール回転軸の径方向に向く。好ましくは、径方向のこれらの接平面の複数の、好ましくは全ての法線ベクトルはツール回転軸から離れた方向を向く。特に、この接平面の方向によって、装着領域は既存のシャフトハブ接続と異なるシャフトを提供する。特に、装着領域のこの構成は、特に、簡易な製造の可能性を提供し、機械加工ツールの駆動力をツールデバイス上に特に一様に伝達することを可能とする。
【００６２】
好ましい実施形態では、これらの接平面上の１つの法線ベクトルはツール回転軸の径方向に向く。好ましくは、これらの接平面の複数の、好ましくは全ての法線ベクトルはツール回転軸の方向を向く。特に、この接平面の方向によって、装着デバイスは既存のシャフトハブ接続と異なるハブ部分を提供する。装着デバイスのそのような構成は、駆動力を内部表面（ハブ部分）へ伝達する。特に、そのような表面は汚染およびダメージから十分に保護される。
【００６３】
好ましい実施形態では、ツールデバイスは少なくとも１つの操作領域、少なくとも１つの装着領域、および、少なくとも１つの接続領域を備える。好ましくは、操作領域は加工対象物配置または加工対象物上で作用するように構成されている。加工対象物または加工対象物配置は、特に、半完成品、機械加工要素、部品、これらの要素の複数の配置、機械、好ましくは自動車の部品、建築材料、ビルディング等と理解すべきである。操作領域は好ましくは、切断デバイス、研磨デバイス、分断デバイス、切削デバイス、レバーデバイス、等であると理解すべきである。さらに好ましくは、接続領域は、そこを経由して駆動力が装着領域から操作領域へと伝達される、前記ツールデバイスの一部であると理解すべきであり、装着領域内で駆動力が機械加工ツールからツールデバイスへ導入される。さらに好ましくは、この接続部分は平面部、湾曲部、波形部、または、折り曲げ部である。さらに好ましくは、この接続領域は少なくともこの操作領域、この装着領域と一体的に形成される。好ましくは、この接続領域は操作領域または装着領域と同じまたは異なる材質で形成することが可能であり、操作領域および装着領域に接続される。好ましくは、この接続領域は形状適合接続、圧力ばめ接続、材質適合接続、または好ましくはこれらの幾つかタイプの接続の組合せである。特に好ましくは、溶接、リベット留め、カシメ、または、ネジ留めされる。さらに好ましくは単一接続領域が装着領域およびこれらの操作領域のそれぞれの間に配置される。特に、装着領域を有するツールデバイスの前述の構成、操作領域および接続領域によって、接続領域から操作領域への駆動力の好都合な伝達を実現することが可能となる。
【００６４】
好ましい実施形態では、少なくとも１つのこれらの接続領域はある装着領域内に配置される。好ましくは、これらの接続領域の少なくとも１つは、第１の上部境界平面よりも機械加工ツールからさらに離れている第２の下部境界平面領域内の１つに、実質的に配置される。好ましくは、接続領域は第１の上部境界平面の１つの領域内に配置され、より好ましくは、これらの境界平面の間に配置される。さらに好ましくは、これらの接続領域の少なくとも１つは第２の下部境界平面と実質的に一致する。さらに好ましくは、全ての接続領域は前述の形状で配置される。さらに好ましくは、カバー表面部と、好ましくは１つの
接続領域、より好ましくは全ての接続領域とは接続デバイスと径方向で対向して配置される。すなわち、カバー表面部は第１の上部境界平面領域内に配置され／少なくとも１つの、好ましくは全ての接続領域は第２の境界平面内に配置される。あるいは、その逆に配置される。特に、接続領域の前述のタイプの構成および配置によって、特に安定したツールデバイスを実現することが可能となり、このようにして、ツールデバイス内へのトルクの一様な導入を実現することが可能となる。
【００６５】
好ましい実施形態では、角度αはこれらの接平面の１つおよびツール回転軸に垂直である径平面との間の角度となる。角度αはある範囲で選択される、好ましくは９０度より小さく、特に、８０度より小さい、最も好ましくは７５度より小さいことが好ましい。さらに好ましくは、角度αは０度より大きい、特に４５度より大きい、最も好ましくは６０度より大きい。より好ましくは角度αは６２．５度から７２．５度の範囲である。好ましくは、角度αはトルク伝達領域、および／または、ツールデバイス、および／または、発生する力にとって好ましい部品特性（特に、幾何学的、壁厚み、弾性係数、張力および同様の特性）に依存して上記範囲内である。特に、前述のような前記範囲の角度αの選択によって、安定したトルク伝達領域が実現可能であり、他方また、ツールデバイス内への駆動力の一様な導入が実現可能となる。「ジャミング」の危険性が低減するため、通常、角度αは７０度未満に選択することが好ましい。ここで用語「ジャミング」とは、ツールデバイスが、特に付加的な力無しで、機械加工ツールから計画通りには脱着できないことと解釈すべきである。「ジャミング」と類似の効果は機械加工分野では特に自己ロッキングとして既知である。前記範囲（α≧７０度）から選択された角度αの利点としては、特に低い空間要求となる。より小さい角度α（α＜７０度）の利点としては、ツールデバイスのジャミング傾向は、より小さい角度α（α＜７０度）であるトルク伝達領域では低減される。相対的に小空間スペースが実現され、ツールデバイスの不慮のジャミングが避けられ減少させられる角度αの特に好ましい範囲として、６０度（＋／−５度）が示される。
【００６６】
好ましい実施形態では、ツール回転軸が位置している軸平面とこれらの接平面の１つとの間に角度βがある。好ましくは、角度βはある範囲で選択される。好ましくは角度βは９０度より小さい、特に７０度より小さい。６５度より小さいことが最も好ましい。さらに好ましくは、角度βは０度より大きい、好ましくは１５度より大きい。３０度より大きいことが最も好ましい。さらに好ましくは、角度βは実質的に３０度、４５度または６０度である。より好ましくは、角度βは前述の３つの角度値の１つから僅かにずれる。好ましくは僅かにずれる値は＋／−７．５度、特に＋／−５度、最も好ましくは＋／−２．５度と理解すべきである。特に、前記範囲からの角度βの前述の選択は、特に安定したトルク伝達領域が実現可能であり、このようにして、機械加工ツールからツールデバイスへの一様なトルク導入を実現することが可能となる。伝達可能なトルクは特に角度βの減少によって増加する。好ましくは、高い伝達トルクを必要とする構成では、角度βは０度＜β＜３０度の範囲で選択される。特に、角度βが増加すれば空間スペースが減少する。好ましくは、小空間スペースを必要とする構成では、角度βは６０度＜β＜９０度の範囲で選択される。大きなトルクが特に伝達可能であり、かつ小空間スペースが必要である場合における特に好ましい実施形態においては、角度βは実質的に６０度となる。
【００６７】
好ましい実施形態によれば、ツールデバイスは偶数の駆動エリア領域を有する。好ましくはツールデバイスは４個以上の駆動エリア領域を有し、特に８個以上の駆動エリア領域を有する。１６個以上の駆動エリアエリア領域を有することが最も好ましい。さらに好ましくは、ツールデバイスは６４個以下の駆動エリア領域を有し、特に、４８個以下の駆動エリア領域を有し、３２個以下の駆動エリア領域を有することが最も好ましい。更に好ましくは、ツールデバイスは奇数の駆動エリア領域を有し、好ましくは偶数の駆動エリア領域を有する。好ましくは、駆動エリア域の数はツールデバイスのサイズの関数である。より好ましくは、大きなツールデバイスは、また、ここで規定する以上の数の駆動エリア領
域数を有しても良い。ここで、大きなツールデバイスは、特に、実質的に５０ｍｍ以上の直径を有するツールデバイスとして理解すべきである。特に好ましくは、ツールデバイスは実質的に３０ｍｍの直径を有する。特に偶数の駆動エリア領域によって、機械加工ツールの駆動力はツールデバイス上のペア内に伝達することが可能となる。ツールデバイス上に駆動力のペアを導入することで、特に恒久性があり改良されたツールデバイスを実現できることが見出される。
【００６８】
好ましい実施形態では、駆動エリア領域は実質的に星形形状に配置される。好ましくは、駆動エリア領域は実質的にツール回転軸の周囲に星形形状で配置される。さらに好ましくは、駆動エリア領域によって、ツール回転軸に垂直な平面によってカットした星形形状多角形の基本領域を実質的に有する三次元実体が説明される。
【００６９】
本発明においては、用語「多角形」は数学的に鈍角または鋭角の角を有する形状から想定される形状としてのみ理解すべきではなく、角が丸みを帯びる形状としても理解すべきである。
【００７０】
より好ましくは、前記星形形状駆動エリア領域は既存のハブ接続の歯状シャフトと類似であり、このシャフトは駆動エリア領域の２重傾斜に起因して円錐基本形状を有する。特に、駆動エリア領域の星形形状配置によって、小さい空間に複数の駆動エリア領域を配置することが可能となり、機械加工ツールからツールデバイスへ高い駆動力を確実に伝達することが可能となる。
【００７１】
本発明に基づくツールデバイスのシリーズは少なくとも２つの前記ツールデバイスを備える。この場合、そのようなツールデバイスは特に参照平面を有する。参照平面はツール回転軸に垂直である。参照平面は少なくとも１つの参照直径、または、駆動エリア領域の他の参照寸法を有する。この場合、シリーズの異なるツールデバイスにおいて、カバー表面部の第１の表面と参照平面との第１の距離Δは第１の下部リミットと第２の上部リミットとの間の距離である。
【００７２】
本発明において、参照平面はその位置がツール回転軸の軸方向内で決定され、第１のツール、および、このシリーズの少なくともさらなる１つのツールに対して、同一の参照直径を有する平面であると理解すべきである。この場合、駆動エリア領域の２重傾斜のために、軸方向内のこの参照平面の軸位置は、このシリーズの少なくとも第１および第２のツールにおいて異なってもよい。参照平面によって、ツールデバイスの参照直径の軸位置が特に定義される。このことによって、同一シリーズの複数のツールデバイスに対して特に軸方向内において固定の参照ポイントへ導く。比喩的に表現すると、このアプローチは架空リング（参照直径、参照寸法）が駆動エリア領域上の軸方向内に織り込まれるものとして理解することができる。このことは、異なるツールデバイスでは異なってもよい、特定の軸位置が定義される。特に、下部リミットおよび上部リミットを特定することによって、ツールデバイスの製造時における不可避な許容誤差を考慮することを可能とする。好ましくは、これらのリミットは１ｍｍの数１０ｔｈｓから数１００ｔｈｓの範囲内から選択される（ここで、１０ｔｈｓは小数点以下第１位、１００ｔｈｓは小数点以下第２位を意味する）。
【００７３】
このシリーズの好ましい実施形態では、シリーズの少なくとも２つの異なるツールデバイスにおける距離Δは実質的に一定である。好ましくは、一定とは、第１のツールおよび第２のツール、または複数の第２のツールの距離Δが少なくともこのリミット内にあることと理解すべきである。特に距離Δはツール・シリーズ内の狭い許容誤差バンド内で移動するという事実から、ツールデバイス・シリーズは軸方向において実質的に等しい位置に配置することが可能であり、このようにして、トルクの安全な導入を保証できる。
【００７４】
少なくとも２つのツールデバイスのシリーズの好ましい実施形態では、シリーズの少なくとも２つのツールデバイスは異なる平均壁厚ｔまたはｔｉを有する。特に、異なる壁厚を有するツールデバイスによって、ツールデバイスを負荷に適するように製造することが可能となる。何故なら、例えば、鋸、研磨のように異なる用途を意図したツールは異なる力で作用し、これらの異なる力は、特に、異なる壁厚によって考慮されるからである。
【００７５】
好ましい実施形態では、シリーズは、ツール回転軸および駆動エリアの位置に対して実質的に等しく配置されたエンコーディング領域を有する少なくとも２つのツールデバイスを備える。さらに好ましくは、各ツールデバイスはそのようなエンコーディング領域を備え、好ましくはこれらのツールデバイスのそれぞれが、特に好ましい駆動力のような、少なくとも１つの応用パラメータによって特徴付けられる。さらに好ましくは、そのような応用パラメータはツール・タイプ、製造タイプ、または機械加工ツールの他のパラメータを考慮しても良い。または、好ましくは、ツールデバイスを駆動するために必要なパワーを考慮しても良い。好ましくは、エンコーディング領域は少なくとも１つのエンコーディングデバイスを備える。このエンコーディングデバイスはこれらの応用パラメータの少なくとも１つによって特徴付けられる。特に、前述のエンコーディング領域の構成によって、ツールデバイスの過負荷による破損に対処可能となり、多様な用途向けのシリーズの異なるツールが可能となる。
【００７６】
少なくとも２つのツールデバイスのシリーズの好ましい実施形態では、少なくとも第１のツールデバイスは第１のエンコーディングデバイスを備える。好ましくは、この第１のエンコーディングデバイスは第１のエンコーディング要素と協働することを意図して、機械加工ツール上に配置される。さらに好ましくは、少なくとも１つの第２のエンコーディングデバイスは第２のエンコーディング要素を備える。さらに好ましくは、第２のエンコーディングデバイスは第２のエンコーディング要素と協働するよう構成される。好ましくは、第１のエンコーディング要素は第１の機械加工ツール上に配置され、より好ましくは、第２のエンコーディング要素は第２の機械加工ツール上に配置される。好ましくは、エンコーディングデバイスおよびエンコーディング要素は、第１のエンコーディング要素が第１のエンコーディングデバイスおよび第２のエンコーディングデバイスと協働することが可能であるように設計される。好ましくは、第２のエンコーディング要素は、第２のエンコーディング要素とは協働するが、第１のエンコーディングデバイスとは協働しないように設計される。特に、エンコーディングデバイスのこの構成によって、特定の機械加工ツールに対してある種のツールを制限することが可能となる。この場合、一方で、小さい駆動力用に提供され特に装着領域を有するツールデバイスは、ツールデバイスのこの装着領域を損傷可能な駆動力が提供される機械加工ツール上に受容しないようにすることが可能となる。他方で、高駆動力または高トルクを必要とするツールは、この目的のために用意されたのではない機械加工ツール上に受容しないようにすることが可能となる。このようにして、機械加工ツールへの損傷を防ぐことが可能となる。
【００７７】
少なくとも２つのツールデバイスのシリーズの好ましい実施形態では、少なくとも１つの、好ましくは全てのエンコーディングデバイスの基本エリアの形状は、以下の要素の少なくとも１つを有するグループの形状グループから選択される。
−  複数の角部、好ましくは、３、４、５、６、７、８、または８以上の角部を有する多角形、
−  円、
−  楕円形、
−  可変半径または一定半径を有する円弧、
−  これらの形状の組合せ。
【００７８】
特にこのエンコーディングデバイスの設計によって、ツールデバイスの対応する要求に合うように構成することが可能となり、このようにして、改善されたツールデバイス・シリーズを実現することが可能となる。
【００７９】
好ましい実施形態では、少なくとも２つのツールデバイスのシリーズは少なくとも２つのツールデバイスを備え、少なくとも２つのツールデバイスの各々は幾何学的に同一形状であるが、サイズが異なる、エンコーディングデバイスを有する。好ましくは、全てのツールデバイスは幾何学的に同一形状であるが、少なくともサイズが部分的に異なるエンコーディングデバイスを備える。
【００８０】
好ましい実施形態では、少なくとも２つのツールデバイスのシリーズは、エンコーディングデバイスがエンコーディング参照平面と比較して嵩上げされた部分として設計されている少なくとも１つのツールデバイスを備える。好ましくは、エンコーディング参照平面はツール回転軸に対して垂直な平面であると理解すべきである。さらに好ましくは、エンコーディング参照平面は実質的に平面カバー表面部の領域内に、または、カバー表面部と一致する領域内に配置される。さらに好ましくは、シリーズは嵩上げされた第２のエンコーディング領域を有する第２のツールデバイスを備える。好ましくは、エンコーディングデバイスの少なくとも１つの第１の延伸部は対応する第２のエンコーディングデバイスの延伸部より大きい。好ましくは、機械加工ツール用の第１のツールデバイスは高駆動力を提供し、さらに好ましくは、機械加工ツール用の第２のツールデバイスは低駆動力を提供する。この場合、第１の機械加工ツールの高駆動力は、この駆動力において、第２の機械加工ツールの駆動力より大きいと理解すべきである。好ましくは、第１のツール上の類似の第１の延伸部は第２のツール上のエンコーディングデバイスの同一の延伸部より大きい。これによって、低性能要求に適したツールデバイス、すなわち、私的な用途を意図したＤＩＹ（Ｄｏ−ｉｔ−ｙｏｕｒｓｅｌｆ）用のみならず、工業、工芸業界（専門的機械加工）での専門用途を意図した機械加工に特に適した高性能ツールデバイスが得られる。このことは、特に駆動力に対応するようツールデバイスを構成することで可能となり、このようにして、改善されたツールデバイスを実現することが可能となる。
【００８１】
少なくとも２つのツールデバイスのシリーズの好ましい実施形態では、少なくとも１つのエンコーディングデバイスは凹部として構成される。好ましくは、シリーズ全てのエンコーディングデバイスは凹部として構成される。さらに好ましくは、エンコーディングデバイスはエンコーディング参照平面領域内に配置される。好ましくは、少なくともエンコーディングデバイスの延伸部は他のエンコーディングデバイスの対応する延伸部よりも大きい。特に、高駆動力を有する専門用途の機械加工を意図するツールデバイスは小さいエンコーディングデバイスを有する。特にＤＩＹ機械加工用途に提供される同一シリーズの第２のツールデバイスは第１のエンコーディングデバイスとは反対に、大きなエンコーディングデバイスを有する。特に、専門用途の機械加工における適用では、ＤＩＹ機械加工と対比して高駆動力を有する。ＤＩＹ機械加工に専用のツールデバイスはこのようにしてＤＩＹ機械加工のみならず専門用途機械加工の両方に適合する。一方で、専門用途ツールデバイスはＤＩＹ機械加工には取り付け不可能である。このことはＤＩＹ機械加工が高駆動力用に設計されたツールデバイスによって損傷を受けることを防ぐ。特に、専門用途機械加工用のエンコーディングデバイス（凹部）がＤＩＹ機械加工用のエンコーディングデバイスよりも小さいという事実によって、特に安定したツールデバイスが大きな駆動パワー用に実現することが可能になる。
【００８２】
好ましい実施形態では、少なくとも２つのツールデバイスのシリーズはこのカバー表面部の領域内に配置されているエンコーディング領域を備える。特に、これらのカバー表面部が上部境界平面の領域内に配置されている場合には、エンコーディング領域は特に容易にアクセス可能となり、このため、改善されたツールデバイスを実現することが可能とな
る。
【００８３】
本発明に基づくツールデバイスを製造する方法は、少なくとも１つの駆動エリア領域を製造するために、基本形状形成プロセス・ステップ、または、再形成プロセス・ステップ、または、一般的プロセス・ステップを備える。好ましくは、少なくとも１つの駆動エリア領域を製造するステップは複数の前述のプロセス・ステップの組合せを備える。少なくとも１つの駆動エリア領域を製造するプロセス・ステップは少なくとも以下の製造方法を備えるプロセスステップ・グループから選択される。
【００８４】
鍛造、プレス、圧延、押出、折り曲げ、深絞り、ビーディング加工、フランジ加工、歪み取り、曲げ、延伸、圧縮、焼結、鍛造、多層コーティング、等。
【００８５】
好ましくは、ツールデバイスのツール輪郭を製造する方法は異なるプロセス・ステップを有する。好ましくは、熱的に異なるプロセス・ステップ、好ましくは機械的に異なるプロセス・ステップ、または、これらのプロセス・ステップの組合せである。さらに好ましくは、ツールを製造するプロセス・ステップは少なくとも以下のプロセス・ステップから選択される。
【００８６】
鋸引き、研磨、粉砕、穿孔、剪断、粒子ビーム切断、電子ビーム切断、レーザ切断、プラズマ切断、ガス切断、放電切断。
【００８７】
好ましくは、ツールデバイスを、少なくとも外形を、一般的な製造方法によって完全にまたは主に製造する。
【００８８】
特に、前述の製造方法によって、特に精密な駆動エリア領域を製造することが可能であり、このようにして、ツールデバイス内への駆動力の一様な導入を保証する。
【００８９】
本発明の多様な特徴および実施形態を以下の図面に示す。図面は部分的に概念図であり、図に示す個々の特徴および実施形態に限定するものではない。
【００９０】
好ましい実施形態では、ツールデバイスを機械加工ツール上に受容する際に、機械加工ツールの出力スピンドルの端部面およびツールデバイスの対向表面の間が小距離θであるように、ツールデバイスを機械加工ツールの出力スピンドル上に受容する。好ましくは、ツール回転軸に対して対称的である少なくとも２つの点、好ましくは複数の点において、この距離は実質的に等しい。好ましくは本願において小距離は、好ましくは５ｍｍより小さい、好ましくは２．５ｍｍより小さい、より好ましくは１．５ｍｍより小さい、最も好ましくは、０．８ｍｍより小さい、さらに好ましくは０．０ｍｍより大きい、好ましくは、０．２５ｍｍより大きい、より好ましくは、０．５ｍｍより大きい範囲内の距離θであると理解すべきである。小距離θによって、特に、過負荷である場合には、ツールデバイスを出力スピンドル上で支持することが可能となり、ツールデバイスの傾斜を避けるか、減少させる。さらに好ましくは、ツールデバイスを特に顕著な傾斜なく受容することが可能となり、ツールデバイスの機械加工ツール内への挿入を実現することが可能となる。
【００９１】
好ましい実施形態では、ツールデバイスはステップ状駆動エリア領域を備える。ステップ状駆動エリア領域は駆動エリア領域またはツール駆動エリア領域に準用可能であり、これらの説明はステップ状駆動エリア領域に適用できると理解すべきである。好ましくは、本発明の明細書における「ステップ状」は、駆動エリア領域がツールデバイスの側壁に対して相互配置される。凹部の無い駆動エリア領域と対比すると、駆動エリア領域は好ましくはツールデバイスの側壁上でなく、側壁内に配置され、側壁に対して相互配置され、特に、部分的に側壁から径方向に離れている。
【００９２】
本発明に基づく接続デバイスは、ツールデバイスを機械加工ツール、特に、手動機械加工ツールに接続するよう構成されている。好ましくは、機械加工ツールの駆動力は、特に、回転的対称的方法で、駆動軸を駆動する。接続デバイスは第１の接続領域および第２の接続領域を備える。第１の接続領域は接続デバイスを機械加工ツールに接続するよう構成されている。ここで、駆動軸および接続回転軸が実質的に一致するような方法で、接続デバイスを機械加工ツールに接続することが可能である。第２の接続領域は接続デバイスをツールデバイスに接続するように構成されている。ここで、少なくとも１つの接続領域は装着デバイスを有し、装着デバイスは少なくとも２つの駆動エリア領域を備える。
【００９３】
さらに、少なくとも２つの駆動エリア領域が提供され、駆動エリア領域は接続回転軸から空間的に離れ、それぞれは複数の表面点を有する。用語「駆動エリア」は機械加工ツールの出力デバイスと直接的または間接的に、少なくとも部分的に接触し、機械加工ツールからトルクを受ける領域であることを意味する。用語「表面点」は既に定義したように駆動表面の表面上の点であることを意味する。
【００９４】
表面点に対する接平面に対して、特別な幾何学的条件が適用される。接平面は、幾何学の共通規定で示されるように、表面点の法線ベクトルに垂直に形成される層であり、表面点において表面と接する。用語「法線ベクトル」は、表面点において、表面に対して正確に垂直な方向を向くベクトルであることを意味する。
【００９５】
表面点における接平面は２方向に傾斜する。一方では、接平面はツール回転軸を含む軸平面に対して傾斜する。さらに接平面はツール回転軸に垂直に延伸する径平面に対して傾斜する。
【００９６】
接続デバイスの装着デバイス、および、駆動エリアまたは接続デバイスの駆動エリア領域は、好ましくは、ツールデバイスの駆動エリア領域に準じる。
【００９７】
好ましい実施形態では、接続領域は接続回転軸に対して回転的対称的に配置されている第１の接続領域を備える。好ましくは、接続回転軸はツールデバイスのツール回転軸として理解すべきである。好ましくは、接続デバイスが接続回転軸の周囲で、好ましくは振動的方法で、または回転的方法で駆動されるような方法で、接続領域はその装着デバイスと共に、機械加工ツール上に受容される。さらに好ましくは、接続回転軸および第１の保持シャフトは一致し、それらは互いに平行に、または、互いに斜め配置される。接続領域のそのような配置によって、特に小さい不均衡を有する接続領域を実現することが可能となる。
【００９８】
好ましい実施形態では、第２の接続領域は接続回転軸に対して回転的対称的に配置される。そのような配置によって、接続領域は、特に小サイズ、低ストレスの領域内に配置することが可能になる。
【００９９】
好ましい実施形態では、第２の接続領域は接続回転軸に対して回転的対称的に配置される。そのような配置によって、ツール手段の回転軸および接続回転軸が互いに実質的に一致し、不均衡が非常に小さくなるような方法で、ツールデバイスを接続領域で受容することが可能となる。
【０１００】
好ましい実施形態では、接続デバイスは第１の保持デバイスを備える。好ましくは、前記第１の保持デバイスは少なくとも第１の接続領域および機械加工ツールと協働するよう構成される。好ましくは、保持デバイスはネジデバイス、より好ましくは、フックデバイス、スナップフィットデバイス（snap fit device）、または、より好ましくは、ラッチ
デバイスを備える。
【０１０１】
特にネジデバイスを有する保持デバイスによって、機械加工ツール上での特に簡易な接続デバイスの受容を実現することが可能となる。
【０１０２】
好ましい実施形態では、接続デバイスは少なくとも１つの第２の保持デバイスを備える。好ましくは、第２の保持デバイスは第２の接続領域およびツールデバイスと協働するように構成されている。好ましくは、材料適合方法、好ましくは形状適合方法、および、より好ましくは圧力ばめの方法、または列挙したこれらの組合せによって、ツールデバイスは接続領域上に受容される。好ましくは第２の保持デバイスはネジデバイス、より好ましくはフックデバイス、または、スナップフックデバイス、特に好ましくはラッチデバイスを備える。
【０１０３】
好ましい実施形態では、第１の保持デバイスは第１の保持シャフトを備える。この場合、第１の保持シャフトは、本発明においては、保持デバイスによって適用される保持力の作用が及ぶ方向に沿った軸であると理解すべきである。好ましくは、ネジデバイスの対称線は保持軸であるとして理解すべきである。さらに、第２の保持デバイスは第２の保持シャフトを備え、好ましくは第２の保持シャフトは、第１の保持シャフトに対応する。好ましくは、この第１の保持シャフトおよびこの第２の保持シャフトは実質的に平行であり、特に、互いに正確に一致する。好ましくは、接続回転軸は第１の保持シャフトと一致する。本発明では「正確に一致」は同一の軸であると考えても良い。保持デバイスのそのような配置によって、機械加工ツール上の接続デバイスにおいて、ツールデバイスを特に容易に、特に単一の操作で受容することが可能となる。
【０１０４】
好ましい実施形態では、第１の保持デバイスは第１の保持シャフトを備え、第２の保持デバイスは第２の保持シャフトを備える。好ましくは、第１の保持シャフトと第２の保持シャフトは傾斜して、特に互いに傾斜して配置される。本発明においては、「傾斜」は、一方で２つの保持シャフトが互いに平行ではなく、互いに空間的に他と交差しないものとして理解すべきである。そのような配置によって、特に、接続デバイスのストレス耐性の設計を実現することが可能となる。
【図面の簡単な説明】
【０１０５】
【図１】２つの駆動エリア領域を有するツールデバイスの側面図（図１ａ）および平面図（図１ｂ）である。
【図２】上部境界平面および下部境界平面の間で延伸する複数の駆動エリア領域の側面図である。
【図３】共通の上部境界平面および共通の下部境界平面の間で延伸する複数の駆動エリア領域の側面図である。
【図４】ツールデバイスの断面図である。
【図５】近接配置された２つの駆動エリア領域の平面図（図５ａ）および側面図（図５ｂ）である。
【図６】ツール回転軸の周囲に円周上に閉じて配置され、近接配置された複数の駆動エリア領域の平面図（図６ａ）および側面図（図６ｂ）である。
【図７】カバーエリア部を有するツール領域の断面図である。
【図８】操作領域、接続領域、および装着領域を有するツールデバイスの平面図（図８ａ）および側面図（図８ｂ）である。
【図９】傾斜角度αを有する駆動領域の表面点上の接平面を有するツールデバイスの断面図である。
【図１０】傾斜角度βを有する駆動領域の表面点上の接平面を有する一部のツールデバイスの平面図である。
【図１１】参照平面およびエンコーディングデバイスを有するツールデバイスの断面図（図１１ａ）および平面図（図１１ｂ）である。
【図１２】図１１に図示したツールデバイスと異なるエンコーディングデバイスを有する同一シリーズのツールデバイスの断面図（図１２ａ）および平面図（図１２ｂ）である。
【図１３】ツールデバイスの異なるタイプのエンコーディングデバイスの２つの断面図である。
【図１４】異なる湾曲した駆動エリア領域の透視図である。
【図１５】ツールデバイスを有する機械加工ツールの側面図である。
【図１６】ツール領域の平面図である。
【図１７】ツール領域の断面図である。
【図１８】出力スピンドルおよび機械加工ツール内に受容されているツールデバイスの断面図である。
【図１９】ステップ状駆動エリア領域を有するツールデバイスの２つの実施形態の断面図（図１９ａ／１９ｂ）および平面図（図１９ｃ／１９ｄ）である。
【図２０】ステップ状駆動エリア領域を有するさらなるツールデバイスの断面図（図２０ａ）および平面図（図２０ｂ）である。
【図２１】嵩上げ駆動エリア領域を有するツールデバイスの断面図（図２１ａ）および平面図（図２１ｂ）である。
【図２２】第１の接続領域および第２の接続領域を有する、ツールデバイス、出力スピンドル、および、接続デバイスの断面図である。
【図２３】ツールデバイス、出力スピンドル、および、接続デバイスのさらなる実施形態の断面図である。
【図２４】接続デバイスからツールデバイスへの摩擦トルク伝達を有する、接続デバイスの他の実施形態の断面図である。
【図２５】形状適合トルク伝達（図２５ａ：中空物体、図２５ｂ：中実体）を有する接続デバイスのさらなる実施形態の断面図である。
【発明を実施するための形態】
【０１０６】
図１はツールデバイス１の正面図（図１ａ）および平面図（図１ｂ）を示す。このツールデバイスは２つの駆動エリア領域２を有する。ここで、駆動エリア領域２は複数の表面点３を有する。接平面４を駆動エリア領域２内のこれらの表面点３の各々に配置することができる。これらの接平面４は径平面６および軸平面７に対して傾斜している。ここで、径平面６はツール回転軸５に対して直交して配置され、軸平面７はツール回転軸５ａを含む。ツールデバイス１に（図示しない）手動ツールデバイスの回転振動的駆動を提供する。仮にツールデバイス１が適切な機械加工ツールによって駆動されるなら、ツールデバイス１はツール回転軸５の周囲において回転振動的動作を行う。駆動エリア領域２の２重傾斜によって、機械加工ツール内のツールデバイス１の反動を免れる保持を実現できる。このことは、ツールデバイス１上で負荷がツール回転軸５に対して可変で作用し、機械加工ツールおよびツールデバイス１の間での接続動作の消滅が接続のノッキングを引き起こし、特に、ツールデバイス１の破損を引き起こすことから、特に、鋸操作および研磨操作、等において好ましい。
【０１０７】
図２は、駆動エリア領域２が上部境界平面８ａおよび下部境界平面８ｂのそれぞれの間で延伸することが分かるツールデバイス１を図示する。これらの境界平面８は、好ましくは、ツール回転軸５に対して直交して配置される。この場合、駆動エリア領域２は上部境界平面８ａから下部境界平面８ｂの方向に、またはその逆方向に延伸する。好ましくは、下部境界平面８ｂは操作領域１３のレベルに位置する。ここで、操作領域は、例えば、鋸の歯、または、鋸の刃、等と理解すべきである。これによって、下部境界平面８ｂは実質的に操作領域１３のレベルに配置されて、操作領域１３上において駆動エリア領域２の駆
動力の変形の少ない伝達が可能となる。異なる境界平面８、これによる駆動エリア領域２の異なる延伸によって、ツールデバイスの十分な安定性要求、特に、空間要求、反発、トルク伝達に対応できる。この実施形態では、下部境界平面８ｂは共通の下部境界平面８ｂに一致する。この実施形態では上部境界平面８ａは一致しないため、駆動エリア領域は異なる高さとなっている。
【０１０８】
図３は、駆動エリア領域２が単一の下部境界平面８ｂおよび単一の上部境界平面８ａによって区切られているツールデバイス１を示す。これらの境界平面８は（架空の、幾何学的な）ツール回転軸５に対して直角に配置される。下部境界平面８ｂは実質的に操作領域１３のレベルに配置される。上部境界平面８ａと下部境界平面８ｂとはツール回転軸５の方向において空間的に離れている。仮に駆動エリア領域２の全てが単一の上部境界平面８ａおよび単一の下部境界平面８ｂの間で延伸する場合には、ツールデバイスの特に簡易な製造が可能となる。さらに、（図示しない）機械加工ツールからツールデバイス１への特に一様な力の伝達が可能となる。
【０１０９】
図４はツールデバイス１の断面図を示す。ツールデバイスは（架空の、幾何学的な）ツール回転軸５を備える。ツールデバイス１はツール回転軸５の周囲において回転振動的に駆動される。駆動エリア領域２はツール回転軸５に対して空間的に離れて配置され、下部境界平面８ｂおよび上部境界平面８ａの間においてツール回転軸５の方向に延伸する。上部境界平面８ａおよび下部境界平面８ｂは距離Ｔだけ空間的に離れている。ここで、距離Ｔは駆動エリア領域２を有する壁厚ｔに依存する。この依存性によって、駆動エリア領域の剛性とサイズとの間の特に好ましい関係性を実現できる。
【０１１０】
図５はツールデバイス１の異なる断面図（図５ａ：上面図、図５ｂ：正面図）を示す。ツールデバイス１はツール回転軸５を有する。駆動エリア領域２は対称平面９に対して対称的に配置される。ここで、対称平面９はツール回転軸５を含む。駆動エリア領域２は遷移領域１７において近接配置される。遷移領域１７は、製造プロセス、または、ツールデバイス１への力伝達における応力に依存して設計され、半径を有しても良い。駆動エリア領域２は下部境界平面８ｂおよび上部境界平面８ａの間で延伸し、ツール回転軸５とは空間的に離れている。駆動エリア領域の対称的、特に、近接配置は、駆動エリア領域２が互いに支持しあうことから、ツールデバイス１に高安定性を与える。
【０１１１】
図６はツールデバイス１の複数の部分図（図６ａ：上面図、図６ｂ：正面図）を示す。ツールデバイス１はツール回転軸５，および、複数の駆動エリア２を有する。これらの駆動エリア領域は上部境界平面８ａおよび下部境界平面８ｂの間で延伸する。駆動エリア領域２は互いに近接して配置され、ツール回転軸５の周囲の円周において径方向に閉じた側壁を形成する。駆動エリア領域２は径平面６、および、対応する軸平面７に対して傾斜する。そのような円周上に閉じた側壁によって、一方では、特に安定したツールデバイスを実現でき、他方では、（図示しない）機械加工ツールからツールデバイス１への特に一様な駆動力の伝達を実現できる。
【０１１２】
図７はツールデバイス１の詳細な断面図を示す。ツールデバイス１はツール回転軸５、駆動エリア領域２、および、カバーエリア部１０を有する。ツールデバイス１をツール回転軸の周囲において回転振動的な方法で駆動することが可能である。図７は駆動エリア領域２が径平面６に対して傾斜していることを示す。駆動エリア領域２は上部境界平面８ａおよび下部境界平面８ｂの間で延伸する。駆動エリア領域２は上部境界平面８ａの領域内においてカバーエリア部１０と実質的に直接的に隣接する。このように配置されたカバーエリア部１０によって駆動エリア領域２のさらなる安定性を実現することが可能となる。カバーエリア部１０が無い同一サイズの駆動エリア領域２よりも、大きな駆動力を伝達することが可能となる。
【０１１３】
図８はツールデバイス１の複数の部分図（図８ａ：平面図、図８ｂ：正面図）を示す。このツールデバイス１は（架空の、幾何学的な）ツール回転軸５、複数の駆動エリア２、および、カバーエリア部１０を有する。ツールデバイス１の操作領域１３は（図示しない）加工対象物、または、加工対象物配置上で作用するように意図されている。それぞれの場合において、２つの駆動エリア領域２は互いに隣接配置され、接続領域１１によって別の駆動エリア領域２のペアと接続されている。駆動エリア領域２は回転的対称的に配置され、上部境界領域８ａおよび下部境界領域８ｂの間において、ツール回転軸５の方向に延伸する。駆動エリア領域２は径平面６および軸平面７に対して傾斜している。接続領域１１によって、ツール回転軸５の周囲の円周上において、駆動エリア領域２は閉じた側壁を形成する。図示された駆動エリア領域２の回転的対称的配置によって、ツールデバイス１を（図示しない）機械加工ツール内で相互配置することが可能となり、これらを適切に設計することによって、アクセスすることが困難なツールデバイスであっても、（図示しない）加工対象物または加工対称物配置を機械加工することが可能となる。
【０１１４】
図９はツールデバイス１の詳細な断面図を示す。ツールデバイス１はツール回転軸５および駆動エリア領域２を有する。駆動エリア領域２は複数の表面点３を有する。これらの表面点３に対して、接平面４を設定することが可能である。径平面６はツール回転軸５に直交して配置される。径平面６は接平面４と鋭角αをなす。この角度αによる径平面６に対する接平面４の傾斜によって、特に、ツールデバイス１を（図示しない）機械加工ツール上にツール回転軸の方向のクランピング力１８によって保持するときに、機械加工ツール上であそびなくツールデバイス１を受容することが特に容易となる。
【０１１５】
図１０はツールデバイス１の詳細な平面図を示す。ここでは、ツール回転軸５を単なる点として示す。軸平面７はツール回転軸５を含み図１０では直線として示す。駆動エリア領域２の表面点３に対して接平面４を設定できる。駆動エリア領域２は互いに近接して配置され、ツール回転軸５とは空間的に離れている。接平面４は軸平面７との間で鋭角βをなす。角度αと角度βの組み合わせによって、ツールデバイス１が機械加工ツール内に受容される時に、ツールデバイス１を（図示しない）機械加工ツールの中央に位置付けることが可能となる。
【０１１６】
図１１はツールデバイス１の複数の図（図１１ａ：断面図、図１１ｂ：上面図）を示す。ツールデバイス１はツール回転軸５、および、そこから径方向に空間的に離れた複数の駆動エリア領域２を有する。駆動エリア領域２は実質的に平面である。さらに、これらの駆動エリア領域２は近接して配置されて、ツール回転軸の周囲において円周形の閉じた側壁を形成する。駆動エリア領域２は上部境界平面８ａおよび下部境界平面８ｂの間においてツール回転軸５の方向に延伸する。上部境界平面８ａにおいて、カバーエリア部１０が配置される。カバーエリア部１０はエンコーディング領域１６を有する。エンコーディング領域１６はツール回転軸内において円形凹部として配置されている。この円形凹部は第１のエンコーディング直径Ｋｄ1を有する。同一シリーズの（図示しない）他のツールデ
バイスは、しかしながら、他の駆動寸法、すなわち、Ｋｄ1とは異なるさらなるエンコー
ディング直径（Ｋｄ2、等）を有しても良い。Ｋｄ1は、例えば、専門的用途を意図し、（図示しない）Ｋｄ2はｄｏ−ｉｔ−ｙｏｕｒｓｅｌｆ（ＤＩＹ）用途のツールデバイスを
意図している。さらに、カバーエリア部１０ａの下部面は参照平面１４に対して距離Δを有している。参照平面１４の位置は、参照直径１５（公称外側直径、公称中央直径、公称内側直径、等）を含むような方法によって定義される。シリーズの異なるツールデバイスにおいて、特に異なる壁厚ｔ、または、ツールデバイスの製造において不可避な許容誤差に起因して、公称の参照直径１５が同一であっても、ツール回転軸５の方向において異なる位置となる。参照平面１４のこの位置から始めてツール回転軸５の方向において、ツールデバイスは、カバー表面領域１０ａの下部からこの参照平面１４まで実質的に一定距離
Δを備える。シリーズの複数のツールデバイスが、カバーエリア部１０ａの下部および参照平面１４の間で実質的に一定距離Δを有することによって、異なるツールデバイス１が（図示しない）機械加工ツール上に特に簡易かつ安全に受容される。
【０１１７】
図１２はツールデバイス１の図１１と同様な図を示す。しかし、図１２は、図１１で図示された同一シリーズのツールデバイス１の、他のツールデバイス１を図示する。このため、以下では図１１で図示されたツールデバイス１と、図１２で図示されたツールデバイス１の相違点を説明する。カバーエリア部１０内において、エンコーディングデバイス１６はツール回転軸５内の凹部として配置される。このエンコーディングデバイス１６はエンコーディング直径Ｋｄ2を有する。ここでエンコーディング直径Ｋｄ2はエンコーディング直径Ｋｄ1（図１１）より小さい。エンコーディングデバイス１６は（図示しない）機
械加工ツール上に配置されている（図示しない）第２のエンコーディング要素と協働するよう構成されている。ツールデバイス・シリーズ内におけるエンコーディング手段１６のそのような設計によって、機械加工ツール内に個別のツールデバイスを受容させることが可能となり、これによって安全な操作が可能となる。
【０１１８】
図１３は、特に、多様なエンコーディングデバイス１６を有する異なるツールデバイス１を示す。図１３ａは嵩上げエンコーディングデバイス１６ａを有するツールデバイス１の詳細を示す。図１３ｂは凹部として設計されているエンコーディングデバイス１６ｂを有するツールデバイス１を示す。両方のエンコーディングデバイス１６ａ／１６ｂが、ツールデバイス１のカバーエリア部１０内に配置されている点は共通である。ツールデバイス１はツール回転軸５から空間的に離れて配置されている複数の駆動エリア領域２を備える。
【０１１９】
図１４はツールデバイスの駆動エリア領域２の異なる部位を示す。平面駆動エリア領域は図示しないが、そのような駆動エリア領域もまた可能である。図１４ａは駆動エリア領域２の一方向の湾曲部を示す。駆動エリア領域２のこの部位は直線ａ、および、湾曲したグリッド線ｂIによって説明できる。湾曲したグリッド線ｂIは湾曲ＲIの一定半径を有す
る。そのような駆動エリア領域２は、部位内において、円筒形状表面に相当する。湾曲ＲIが複数の異なる半径を持つ限りにおいては、（図示しない）円錐形表面に対応する。こ
の場合、駆動エリア領域２は平面への駆動力の伝達の間、部位内で変化するように、または、駆動力を伝達するために（図示しない）対向する表面と協働するように、湾曲ＲIの
半径の大きさが選択される。図１４ｂは二方向に湾曲した駆動エリア領域２の部位を示す。駆動エリア領域２の部位は湾曲グリッド線ｂIおよび湾曲グリッド線ｂIIによって説明
することができる。グリッド線ｂIは一定半径の湾曲ＲIを有し、グリッド線ｂIIは一定半径の湾曲ＲIIを有する。そのような駆動エリア領域２は、湾曲ＲIの第１の半径と湾曲ＲIIの第２の半径とが同一サイズである特殊な例では、球体表面に相当する。図１４ｂは、
湾曲ＲIおよび湾曲ＲIIが異なる半径を有する駆動エリア領域２を図示する。この場合、
平面へ駆動力を伝達する際に、駆動エリア領域が少なくとも部分的に変化するように、または（図示しない）対向表面と協働して駆動力を伝達する構成となるように、湾曲ＲIお
よびＲIIの半径の大きさを選択することが可能である。図１４ｃは二方向湾曲を有する駆動エリア領域２の部位を示す。駆動エリア領域２は一定半径の湾曲ＲIを有するグリッド
線ｂIおよび可変半径の湾曲ＲIaを有するグリッド線ｂIaによって説明することができる
。そのような駆動エリア領域２は、また、全てのグリッド線が（図示しない）可変半径の湾曲を有することができる。部位内において平面へ駆動力を伝達する際に、駆動エリア領域が変化する方法で、または（図示しない）対向表面と協働して駆動力を伝達するような方法で、湾曲ＲIおよびＲIIの半径の大きさを選択することが可能である。図１４では、
凹部湾曲駆動エリア領域２が図示されている。前述の説明は凸部駆動エリア領域に対しても、同様に適用できる。
【０１２０】
図１５は機械加工ツール２２に受容されるツールデバイス１を示す。ツールデバイス１は装着デバイス１２を備え、それによって機械加工ツール２２に接続される。機械加工ツール２２は出力スピンドル２２ａを有し、駆動力をツールデバイス１へ、特に、装着デバイス１２内へ誘導する。出力スピンドル２２ａは、特に回転振動的に機械加工ツールの回転軸２２ｃの周囲で動作し、これによって、ツールデバイス１は同様の動作をする。ツールデバイス１は（図示しない）加工対象物または加工対象物配置上で作用するように構成されている操作領域１３を有する。機械加工ツール２２の駆動力は装着デバイス１２の接続領域１１によって操作領域１３へ伝達される。機械加工ツール２２はツールデバイス１の交換を行うことが可能なように構成されている操作レバー２２ｂを有する。
【０１２１】
図１６および図１７はツールデバイス１の異なる図を示す。図１６はツールデバイス１の平面図を示し、図１７は断面図を示す。ツールデバイス１の装着デバイス１２は、図１６および図１７において、丸みを帯びた角（接続領域１１）を有する星形形状多角形として図示されている。ここで、以下に説明する相互関係は装着デバイス１２の他の形状に対しても準用して適用される。
【０１２２】
図１６の平面図において、多角形の丸みを帯びた角（接続領域１１）が表現されている。いわゆる多角形のアーム部が２つの駆動エリア領域および接続領域１１によって形成されている。個々のアーム部は相互に等角度Ｋ12で相互配置される。好ましくは、等角度Ｋ12は（完全な円）／（アーム数）＝Ｋ12、現在の例では、３６０度／１２＝３０度の関係となる。好ましくは、等角度Ｋ12によって、機械加工ツール内の異なる回転位置にツールデバイスを受容することが可能となる。現在の例では、（図示しない）ツールデバイスは機械加工ツールに対して３０度ずつ離散して相互配置される。
【０１２３】
ツールデバイス１は、好ましくは円形であり、直径Ｋ10を有する凹部であるカバーエリア部１０ａを有する。さらに好ましくは、この凹部は、異なる円形状の凹部であることも可能である。
【０１２４】
好ましくは、この凹部は実質的に円形状であり、付加的な凹部、好ましくは多角形凹部、または、円形凹部から径方向外側に延伸するスプライン曲線形状凹部を有しても良い。好ましくはこれらの凹部によって、好ましい円形部を有する星形多角形が得られる。特に好ましくは、そのような凹部は、特に鋸刃等を駆動する際の特に高負荷用を意図するツールデバイスに使用しても良い。
【０１２５】
さらに好ましくは、直径Ｋ10は、少なくとも２つのツールのツールデバイス・シリーズにおける直径Ｋｄ１またはＫｄ２の１つに対応する。カバーエリア部１０のこの凹部領域１０は、好ましくは、ツールデバイス１が機械加工ツール上に保持されるように構成されている。好ましくは、この凹部は、（図示しない）保持デバイス、特にネジデバイスの貫通凹部／スルーホールとして理解すべきである。直径Ｋ10の選択は、多様なパラメータ、好ましくは機械加工ツールの（図示しない）保持デバイスの寸法に依存することができる。この保持デバイスは、特に、ツールデバイス１が機械加工ツール上に確実に保持されるような寸法である。
【０１２６】
直径Ｋ2およびＫ3は装着デバイスの外側直径を説明する。好ましい実施形態では、外側直径Ｋ2は３０ｍｍから３６ｍｍ、好ましくは３２ｍｍから３４ｍｍの範囲から選択され
る。特に好ましくは、外側直径Ｋ2は実質的に３３．３５ｍｍ（＋／−０．１ｍｍ）であ
る。
【０１２７】
好ましい実施形態では、外側直径Ｋ3は２２ｍｍから２７ｍｍ、好ましくは２４ｍｍか
ら２６ｍｍの範囲から選択される。特に好ましくは、外側直径Ｋ3は２５ｍｍ（＋／−０
．１ｍｍ）である。
【０１２８】
距離Ｋ1は、この図において互いに平行である（空間的な図では、駆動エリア２は互い
に傾斜している）２つの駆動エリア領域２の距離であると規定する。ネジの頭部（例えば、六角形または四角形）と比較して、距離Ｋ1はキー幅となる。
【０１２９】
好ましい実施形態では、このキー幅Ｋ1は２６ｍｍから３０ｍｍ、好ましくは２７ｍｍ
から２９ｍｍの範囲から選択される。より好ましくは、キー幅は実質的に２８．４ｍｍ（＋／−０．１ｍｍ）である。
【０１３０】
直径１５はツールデバイス１の装着デバイス１２における参照直径を意味する。好ましい実施形態では、参照直径１５は３１ｍｍから３３ｍｍ、好ましくは３１．５ｍｍから３２．５ｍｍの範囲から選択される。特に好ましくは、参照直径１５は実質的に３２ｍｍ（＋／−０．１ｍｍ）である。ここで、参照直径１５は、更に好ましくはツール・シリーズの少なくとも２つの異なるツールデバイスは、ツール回転軸５の方向内において、実質的に同一レベル（＋／−０．１ｍｍ）であると特徴付けられている。
【０１３１】
図１７の断面図において、特に装着領域１２の断面領域が特に良く確認できる。好ましい実施形態では、装着手段１２ａの領域内において、ツールデバイス１は好ましくは実質的に一定の壁厚ｔ1を有する。より好ましくは、壁厚ｔ1は０．７５ｍｍから１．７５ｍｍ、好ましくは１ｍｍから１．５ｍｍの範囲から選択される。より好ましくは、壁厚ｔ1は
実質的に１．２５ｍｍ（＋／−０．１ｍｍ）に相当する。
【０１３２】
仮にツールデバイス１の装着領域１２において遷移領域が丸みを帯びるなら（好ましくは、半径Ｋ6、Ｋ7、Ｋ8、Ｋ9）、ツールデバイス１の長い耐用年数を実現することが可能となる。
【０１３３】
好ましい実施形態では、半径Ｋ6、Ｋ7、Ｋ8、Ｋ9の少なくとも１つは、好ましくは複数は、より好ましくはそれらの全ては、壁厚ｔ1の方向を向いている。ここで、好ましくは
より厚い壁厚ｔ1になれば、少なくとも半径Ｋ7、Ｋ9のように、これらの半径は増加する
。
【０１３４】
好ましい実施形態（壁厚ｔ1＝１．２５ｍｍ）では、半径Ｋ6は１ｍｍから２．５ｍｍ、好ましくは１．５ｍｍから２．１ｍｍの範囲から選択される。特に好ましくは、半径Ｋ6
は実質的に１．８ｍｍ（＋／−０．１ｍｍ）である。
【０１３５】
好ましい実施形態（壁厚ｔ1＝１．２５ｍｍ）では、半径Ｋ7は０．５ｍｍから１．５ｍｍ、好ましくは０．８ｍｍから１．２ｍｍの範囲から選択される。特に好ましくは、半径Ｋ7は実質的に１ｍｍ（＋／−０．１ｍｍ）である。
【０１３６】
好ましい実施形態（壁厚ｔ1＝１．２５ｍｍ）では、半径Ｋ8は０．２ｍｍから０．６ｍｍ、好ましくは０．３ｍｍから０．５ｍｍの範囲から選択される。特に好ましくは、半径Ｋ8は実質的に０．４ｍｍ（＋／−０．０５ｍｍ）である。
【０１３７】
好ましい実施形態（壁厚ｔ1＝１．２５ｍｍ）では、半径Ｋ9は２ｍｍから３．５ｍｍ、好ましくは２．４ｍｍから３ｍｍの範囲から選択される。特に好ましくは、半径Ｋ9は実
質的に２．７ｍｍ（＋／−０．１ｍｍ）である。
【０１３８】
図１７で図示する駆動エリア領域２は架空の垂直線（ツール回転軸５に平行）に対して角度Ｋ13で傾斜する。好ましい実施形態では、この角度は１０度から３０度、好ましくは
１７．５度から２２．５度の範囲から選択される。より好ましくは、角度Ｋ13は実質的に２０度（＋／−０．５度）である。
【０１３９】
さらに好ましくは、ツールデバイスの他の寸法は、壁厚ｔ1、より好ましくは、少なく
とも半径Ｋ6、Ｋ7、Ｋ8、Ｋ9に依存する。ここで、より大きな壁厚ｔ１はより大きな半径Ｋ6、Ｋ7、Ｋ8、Ｋ9、特に好ましくは少なくともより大きな半径Ｋ6、Ｋ9へと導く。
【０１４０】
直径Ｋ2は、そこから直線で延伸する駆動エリア領域２を示す。この直線的な延伸の後
では、駆動エリア領域は、好ましくは半径Ｋ9に及び、そこでカバーエリア部１０に及ぶ
。
【０１４１】
好ましくは、寸法Ｋ5と半径Ｋ7は相互に依存する。より好ましくは寸法Ｋ5は０．１ｍ
ｍから１ｍｍ、好ましくは０．３ｍｍから０．７ｍｍの範囲で選択される。特に好ましくは、寸法Ｋ5は実質的に０．５ｍｍ（＋／−０．１ｍｍ）である。
【０１４２】
半径Ｋ6は好ましくは半径Ｋ7と対向し、これより大きい。また、半径Ｋ8は半径Ｋ9と互いに対向し、好ましくは、半径Ｋ8は半径Ｋ9より小さい。
【０１４３】
好ましい実施形態では、駆動エリア領域２は、（ツール回転軸に平行な方向における）少なくとも寸法Ｋ14のレベルで、実質的に直線で延伸する。ここで、本発明における直線は、好ましくは無負荷条件において、より好ましくは負荷条件において、著しい湾曲がないものとして理解すべきである。好ましくは、寸法Ｋ14は１ｍｍから３．５ｍｍ、好ましくは１．５ｍｍから２．５ｍｍの範囲から選択される。特に好ましくは寸法Ｋ14は実質的に２ｍｍ（＋／−０．２５ｍｍ）である。好ましくは、寸法Ｋ14は駆動エリア領域２の最短直線であると理解すべきである。
【０１４４】
好ましくは（図示しない）機械加工ツールの（図示しない）保持デバイスと協働するよう構成されているカバーエリア部内の凹部は、直径Ｋ10を有する。直径Ｋ10を有する凹部は図１６および図１７に図示されているような円形凹部であることが必須ではない。しかし、この凹部はツールデバイス１の他の部分とは独立、また異なる形状（多角形、等）であっても良い。
【０１４５】
好ましい実施形態では、装着領域１２は深さＫ11を有し、より好ましくは、深さＫ11は３．５ｍｍから６ｍｍ、好ましくは４．５ｍｍから５ｍｍの範囲から選択される。特に好ましくは、深さＫ11は実質的に４．７ｍｍ（＋／−０．１５ｍｍ）である。
【０１４６】
好ましい実施形態では、装着領域１２は高さＫ15を有し、さらに好ましくは、高さＫ15は４．５ｍｍから７．５ｍｍ、好ましくは、５．５ｍｍから６．５ｍｍの範囲から選択される。より好ましくは、高さＫ15は実質的に６ｍｍ（＋／−０．２ｍｍ）である。
【０１４７】
図１８はツールデバイス１を示す。ツールデバイス１はネジデバイス（固定ネジ９ｄ、ワッシャ９ｅ、ナット部材９ｆ）によって機械加工ツールの出力スピンドル２２ａに装着される。ツールデバイス１は加工対象物または加工対象物配置上で作用する操作領域１３を有する。駆動力はツール駆動エリア領域２から操作領域１３へ伝達される。この場合、ツールデバイス１は固定ネジ９ｄによって保持され、機械加工ツール上のツールデバイス１に対してワッシャ９ｅによって力作用を引き出す。機械加工ツールからツールデバイス１への駆動力の伝達は、出力スピンドル２２ａ内の対向表面内の駆動エリア領域２の形状適合係合によって実質的に実現される。出力スピンドル２２ａは振動する機械加工ツール軸２２ｃによって回転的に駆動されて、ツールデバイス１へこの動作を伝達する。これによって、ツールデバイス１はツール回転軸５の周囲を回転振動的に動く。ツールデバイス
１は、ツール回転軸５および機械加工ツール回転軸２２ｃが実質的に一致するような方法で、機械加工ツール上に保持される。
【０１４８】
図１９は２種類のステップ状駆動エリア領域２ａを有するツールデバイス１を示す。この駆動エリア領域２ａはカバーエリア部１０の上に配置され、好ましくは形状適合ロッキング、または材質適合ロッキングによって、より好ましくは溶接、リベット打ち、ネジ止め、等によって、カバーエリア部と非回転的に接続される。ここで、図１９ａ）、ｂ）は断面図である。図１９ｃ）、ｄ）のそれぞれはそのようなツールデバイス１の上側平面図を示す。図１９内に図示されているツールデバイス１は、実質的に、しかし非限定的に、図１８の図に基づいている。このため、以下にこれらの図の相違点に基づいて記述する。
【０１４９】
図１９ａ）、ｃ）に図示されているように、ツールデバイス１において角度αは実質的に９０度である。このため、ツールデバイスの製造が容易となる。ツールデバイス１において、図１９ｂ）、ｄ）に図示されているように、角度αは実質的に９０度より小さい。このため、好ましくはトルク伝達のためのより大きなトルク伝達領域を実現することが可能となる。
【０１５０】
次に、図１９はツールデバイス１の機械加工ツールの出力スピンドル２２ａへの装着方法、好ましくはネジデバイス（固定ネジ９ｄ、ワッシャ９ｅ、ナット部材９ｆ）による装着方法を示す。ツールデバイス１は加工対象物または加工対象物配置上へ作用する操作領域１３を有する。ツールデバイス１および出力スピンドル２２ａの間の固定デバイス、ここでは好ましくはネジデバイス（取り付けネジ９ｄ、ワッシャ９ｅ、メス接続９ｆ）として設計されている固定デバイスによって、ツールデバイス１は機械加工ツール上で受容され、力がツール回転軸５の方向に引き出される。
【０１５１】
ツールデバイス１が機械加工ツール内に規定通りに受容されるなら、出力スピンドル２２ａの１つに対向しているツール１の表面と、出力スピンドル２２ａの表面２２ｄとの間は小距離θとなる。好ましくは、小距離θは５ｍｍより小さい、好ましくは２．５ｍｍより小さい、より好ましくは１．５ｍｍより小さい、最も好ましくは０．８ｍｍより小さい、小距離の範囲にあると理解すべきである。さらに好ましくは、この範囲は０ｍｍより大きい、好ましくは０．２５ｍｍより大きい、最も好ましくは０．５ｍｍより大きい。
【０１５２】
駆動力はステップ状駆動エリア領域２ａから操作領域１３へ伝達される。この場合、ツールデバイス１はワッシャ９ｅによって機械加工ツール上に保持され、ツールデバイス１上の固定ネジ９ｄによって力作用が引き出される。基本的には出力スピンドル２２ａと対向するステップ状駆動エリア領域２ａの表面とで係合する形状適合係合（形状適合接続）によって、機械加工ツールの駆動力のツールデバイス１への伝達が実現される。出力スピンドル２２ａは振動する機械加工ツール回転軸２２ｃによって回転的に駆動されて、ツールデバイス１へこの動作を伝達して、ツールデバイス１はツール回転軸５の周囲において回転振動的に動作する。ツールデバイス１は、ツール回転軸５と機械加工ツール回転軸２２ｃとが実質的に一致するような方法によって、機械加工ツール上に保持される。
【０１５３】
図２０はステップ状駆動エリア領域２ａを有する多様なツールデバイス１を示す。ステップ状駆動エリア領域２ａは、好ましくは実質的に、好ましくは直接的に、出力スピンドル２２ａの方向内における操作領域１３の上部である、好ましくはツールデバイス１の表面上に配置される。さらに好ましくは、ツールデバイスが機械加工ツールによって受容される時に、このツールデバイスの表面が出力スピンドル２２ａの端部表面２２ｄと対向するように構成されている。好ましくは形状適合ロッキング、または、材質適合ロッキング、より好ましくは、溶接、リベット打ち、ネジ止め、等、または特に好ましくはこれらの構成の集合によって、駆動エリア領域２ａは、好ましくは、ツールデバイス１に対して回
転的に固定接続される。図２０ａ）はツールデバイス１の断面図、図２０ｂ）は上側からの平面図を示す。図２０ｂ）の平面図に示すように、ステップ状駆動エリア領域２ａはツール回転軸５の周囲に星形形状で分散している。図２０のツールデバイス１の図は基本的に図１８および図１９の図を基にしているが、それに限定されない。このため、以下においてそれらとの相違点を述べる。
【０１５４】
次に、図２０は、好ましくはネジデバイス（固定ネジ９ｄ、ワッシャ９ｅ、ナット部材９ｆ）による、ツールデバイス１の機械加工ツールの出力スピンドル２２ａへの装着方法を示す。ツールデバイス１は加工対象物または加工対象物配置上で作用する操作領域１３を有する。ここでは好ましくは、ツールデバイス１および出力スピンドル２２ａ間のネジデバイス（固定ネジ９ｄ、ワッシャ９ｅ、メス接続９ｆ）によって構成されている固定デバイスによって、ツールデバイス１は機械加工ツール内に受容され、力がツール回転軸５の方向内に引き出される。
【０１５５】
ツールデバイスが機械加工ツール内に規定通りに受容される時に、出力シャフト２２ａと対向するツールデバイス１の表面と出力シャフト２２ａの端部表面２２ｄとの間の小距離θが得られる。好ましくは、小距離θは図１９の実施形態で提案した範囲内である。
【０１５６】
ツールデバイス上への駆動力の伝達のみならずツールデバイスの保持は、図１９に図示した実施形態と同様な方法によって実現される。
【０１５７】
さらなる実施形態では、少なくとも１つのステップ状駆動エリア領域２ａは上部表面部の下部（図１９）、および、ツール表面の上部（図２０）に配置することが可能となる。駆動エリア領域２ａは、出力スピンドル２２ａのエリア内において機械加工ツールと対向し、好ましくはステップ状駆動エリア領域２がカバーエリア部から下に空間的に離れ、ツール表面の前述の範囲内の上部にある。この実施形態は図１８および図１９に図示した実施形態と比較すると中間的な変形である。さらに好ましくは、ステップ状駆動エリア領域２ａは、図１８および図１９に図示したように、少なくともツールデバイス１の一部として、好ましくは別部材として形成可能であり、ツールデバイス１に接続される。ステップ状駆動エリア領域およびツールデバイスは好ましくは密着、そのような接続において非積極的にまたは積極的に、好ましくは溶接、半田接合、リベット打ち、ネジ止め、接着剤止めされる。
【０１５８】
図２１は嵩上げ駆動エリア領域２ｂを有するツールデバイス１の実施形態を示す。図２１ａ）はそのようなツールデバイスの断面図を示し、図２１ｂ）はツールデバイス１の対応する上面図を示す。このような嵩上げされた駆動エリア領域２ｂは、図２１に図示されているように、好ましくは円筒形状部分、さらに好ましくは、代替的に、円錐台、または、好ましくは多角形状断面を有する部位である。嵩上げ駆動エリア領域２ｂの形状は、好ましくは、ツールデバイスの他の部分の設計とは独立である。
【０１５９】
この駆動エリア領域２ｂは、出力スピンドル２２ａの方向内において好ましくは操作領域１３の実質的な上部に、またはツールデバイス１の表面上に配置される。さらに好ましくは、ツールデバイスのこの表面は、ツールデバイス１が機械加工ツール内に受容される場合に、出力スピンドル２２ａの端部表面２２ｄと対向する表面上なるように構成される。駆動エリア領域２ｂはツールデバイス１へ、好ましくは形状適合、特に好ましくは溶接、リベット打ち、ネジ止め、等、または最も好ましくはこれらの組合せによって、好ましくは回転的に接続される。この場合（図２１ｂ）、嵩上げ駆動エリア領域２ｂは、ツール回転軸の周囲に、好ましくは回転的対称的に、より好ましくは、等距離間隔で、または等距離間隔の整数倍で分散配置されている。図２１に図示するツールデバイス１は基本的に図１８から図２０に図示したツールデバイスに基づくが、それに限定されない。
【０１６０】
次に、図２１は、ネジデバイス（固定ネジ９ｄ、ワッシャ９ｅ。ナット部材９ｆ）による、機械加工ツールの出力スピンドル２２ａへのツールデバイス１の装着方法を示す。ツールデバイス１は加工対象物または加工対象物配置上に作用する操作領域１３を有する。ここでは好ましくはツールデバイス１および出力スピンドル２２ａの間のネジデバイス（固定ネジ９ｄ、ワッシャ９ｅ、メス接続９ｆ）として構成される固定デバイスによって、ツールデバイス１は機械加工ツール上に受容され、力がツール回転軸５の方向に引き出される。
【０１６１】
ツールデバイスが機械加工ツール内に規定通りに受容される時、出力スピンドル２２ａと対向するツールデバイス１の表面と出力スピンドル２２ａの端部表面２２ｄとの間の小さなクリアランスθが得られる。距離θは好ましくは図１９の実施形態で提案した範囲内である。
【０１６２】
ツールデバイスの保持デバイスは図１９に図示した実施形態と同様な方法によって行なわれる。嵩上げ駆動エリア領域２ｂを有する実施形態（図２１）では、駆動エリア領域は機械加工ツール上の対応する係合表面と係合し、ツールデバイスへの駆動力の伝達は形状適合の方法によって行われる。
【０１６３】
図２２は、第３のツールデバイス１ｂと機械加工ツールの出力スピンドル２２ａとを接続するための接続デバイス１ａの断面図を示す。接続デバイス１ａは出力スピンドル２２ａによって保持され、第１の保持デバイス３０によって機械加工ツールに保持される。保持デバイス３０は、好ましくは出力スピンドル２２ａ内に配置されている固定ネジ９ｄ，ワッシャ９ｅ、ナット部材９ｆを有する。出力スピンドル２２ａの端部表面２２ｄと、ツールデバイスの対向する接続デバイスの表面、好ましくは端部２２ｄと対向する表面との間が小距離θとなるような方法によって、接続デバイス１ａが出力スピンドル２２ａに受容される。小距離によって、接続デバイス１ａの出力スピンドル２２ａへの確実な受容が実現可能となる。接続デバイス１ａにおいて、第３のツールデバイス１ｂは第２の保持デバイス３１によって装着することが可能となる。第２の保持デバイス３１は第２の保持シャフト３１ａを備え、第１の保持デバイス３０は第１の保持シャフト３０ａを有する。第１の保持シャフト３０ａは接続回転軸と実質的に一致する。第１の保持シャフト３０ａおよび第２の保持シャフト３１ａは互いに傾斜している。第３のツールデバイス１ｂは操作領域１３を有し、この操作領域１３は加工対象物配置上で作用するように構成されている。
【０１６４】
形状適合トルク伝達のために、接続デバイス１ａは駆動エリア領域２を有する装着デバイスを備える。駆動エリア領域２は対向表面内の出力スピンドル２２ａと係合する。この形状適合係合によって、駆動力は、回転振動的方法での機械加工ツール回転軸２２ｃによって出力スピンドル２２ａから接続デバイス１ａへ、そして、第２のツールデバイスへ安全に伝達される。
【０１６５】
接続デバイス１ａは第１の接続領域３２ａにおいて機械加工ツールと接続される。接続デバイス１ａ上に作用する保持力は、好ましくは、第１の保持シャフト３０ａの方向に適用され、またはそれぞれの第１の保持シャフトの方向内の接続デバイス１ａの運動は少なくとも部分的に防がれる。さらに、第３のツールデバイス１ｂを接続デバイス１ａの第２の接続領域３２ｂ内で接続することが可能である。この場合、この接続は形状適合接続、好ましくは材質適合接続、またはより好ましくは、圧力ばめ接続である。好ましくは、第２の保持シャフト３１ａの方向内において、保持力はツールデバイス１ｂまたは接続デバイス１ａ上のそれぞれに引き出される。好ましくは、第２の保持デバイス３１ａは、より好ましくは、保持力効果を適用するためのネジデバイスを備える。
【０１６６】
図２３は、図２２に図示した接続デバイスと類似の接続デバイス１ａの断面図を示す。このため、以下にこの２つの接続デバイスの相違点を主に説明する。
【０１６７】
第３のツールデバイス１ｂが第２の保持デバイス３１によって接続デバイス１ａ上に保持される。第２の保持デバイス３１は、第２の保持シャフト３１ａの方向内において、好ましくは接続デバイス１ａ上においても、第３のツールデバイス１ｂの保持力効果を引き出す。ツールデバイス１は第２の接続部分３２ｂを経由して接続手段１ａに接続される。この場合、この接続は、好ましくは形状適合接続、好ましくは材質適合接続、または、より好ましくは圧力ばめ接続である。第２の保持シャフト３１ａは実質的に第１の保持シャフト３０ａに対して平行な方向を向く。より好ましくは第１および第２の保持シャフトは互いに空間的に離れている。
【０１６８】
図２４は、実質的に図２２、および、図２３に図示した接続デバイスに相当する接続デバイスの断面図を示す。そのため、以下ではこれらの実施形態の相違点に注目する。
【０１６９】
第３のツールデバイス１ｂは第１の保持デバイス３０、および、接続デバイス１ａの第２の接続領域３２ｂによって保持される。第１の保持デバイス３０は、第１の保持シャフト３０ａの方向内において、第３のツールデバイス１ｂ上に、および、好ましくは接続デバイス１ａ上にも保持力を引き出す。この接続は、好ましくは形状適合接続、好ましくは材質適合接続、またはより好ましくは圧力ばめ接続である。さらに好ましくは、前記第３のツールデバイスおよび前記接続デバイスは嵩上げ凹部を備える。好ましくは、これらの嵩上げ部は接続デバイス１ａから第３のツールデバイス１ｂへの形状適合トルク伝達のための凹部を有する接続である。
【０１７０】
図２５ａは接続デバイスからツールデバイス上への形状適合トルク伝達を有する接続デバイスの断面図を示す。接続デバイスは少なくとも部分的に中空物体によって形成され、このため、特に低い慣性モーメントを有する。図２５ａおよび図２５ｂに図示された両方の実施形態は接続デバイスの前述の実施形態と類似である。このため、以下において、これら２つの接続デバイスの間の相違点を説明する。
【０１７１】
第１の保持デバイス３０、特に固定ネジ９ｄ，ワッシャ９ｅ、ナット部材９ｆによって、ツールデバイス１は機械加工ツールの出力シャフト２２ａ上に保持される。接続デバイスからツールデバイス１上へのトルク伝達は、少なくとも部分的に、形状適合要素３３によって実現される。形状適合要素３３は好ましくは接続デバイスと一体化されても良い、または好ましくは接続デバイス内に挿入、または固定されるそれ自体の部材であっても良い。
【０１７２】
接続デバイスは軸方向内において、すなわち、小距離θが得られるような方法によって機械加工ツール回転軸２２ｃの方向内において受容される。このため、特にツール回転軸に垂直な曲げモーメントによってツールに大きな応力がかかる限りは、接続デバイスを機械加工ツールに保持することが可能となる。特に、この保持によって、ツールデバイスの傾斜を抑えることが可能となり、保持デバイス、それによってツールデバイスを特に機械加工ツール上に確実に受容することが可能となる。
【０１７３】
接続デバイスは好ましくは複数の部品、特に好ましくは、基本物体が２つの部品３４および３５で構成される。このため、一方では接続デバイスが低重量（中空物体）を有し、および他方では、相対的に簡易に製造される部品から構成されることが実現できる。
【０１７４】
さらに好ましくは、これらの複数の部品は材質適合の方法によって、１つまたは複数の
接続点において互いに接続することができる。接続デバイスのそのような構成によって、特に容易な接続デバイスを実現することが可能となり、特に低い慣性力に起因して低いストレスが誘発される。
【０１７５】
次に、ツール回転軸５および機械加工ツール回転軸２２ｃが実質的に一致するような方法の接続デバイスによって、ツールデバイス１は出力スピンドル２２ａ上に収容される。接続デバイスは、第１の接続部分３２ａ内において、機械加工ツールの出力スピンドル２２ａと接続される。さらに、ツールデバイス１は第２の接続領域３２ｂ内において、接続デバイスへ接続される。この場合、形状適合の方法である駆動エリア領域２によって、駆動トルクは機械加工ツールから接続デバイス（第１の接続部分３２ａ）へ伝達される。
【０１７６】
形状適合要素３３（図２５ａ／ｂ）は好ましくはツール回転軸５から空間的に離れている。さらに、形状適合要素３３は等角度で、または好ましくは、そのような角度の整数倍で、ツール回転軸の周囲に相互配置される。さらに好ましくは、形状適合要素３３、または、形状適合要素の複数のグループはツール回転軸の周囲に回転的対称的に配置される。
【０１７７】
ツールデバイス１は（図示しない）加工対象物または加工対象物配置上に作用するように構成されている操作領域１３を有する。
【０１７８】
図２５ｂはツールデバイス１上の接続領域（第２の接続部分３２ｂ）からの形状適合トルク伝達を有する接続デバイスの断面図を示す。ここで、接続デバイスは、図２５ａに図示された実施形態とは異なり、実質的に中実体（solid body）として形成され、特に、高い形状安定性と特に容易な製造性を有する。図２５ｂに図示する実施形態は、実質的に図２５ａに図示する実施形態に対応する。このため、以下においてこれらの実施形態の相違点を述べる。
【０１７９】
第１の保持デバイス３０、特に、固定ネジ９ｄ、ワッシャ９ｅ、およびナット部材９ｆによって、ツールデバイス１は機械加工ツールの出力スピンドル２２ａ上に保持される。接続デバイスからツールデバイス１へのトルク伝達は少なくとも形状適合要素３３によって実現される。
【０１８０】
接続デバイスは、軸方向内において、すなわち、機械加工ツール回転軸２２ｃ内において小距離θが得られるような方法によって受容される。これによってツールデバイスの機械加工ツール上への特に確実な受容を実現することが可能となる。
【０１８１】
接続デバイス、特にその基本物体は好ましくは一体的に形成され、少なくとも接続デバイスの基本物体が基本的な形状製造方法、または、再形成製造方法によって製造されてもよい。このような製造方法は既に説明しているツールデバイスの製造方法、好ましくは、鍛造、焼結、一般的製造プロセス、等である。
【０１８２】
接続デバイスによって、出力スピンドル２２ａ上に受容されるツールデバイス１は、ツール回転軸および機械加工ツール回転軸が実質的に一致する。接続デバイスは第１の接続部分３２ａにおいて、出力シャフト２２ａと接続される。さらに、ツールデバイス１は第２の接続領域３２ｂにおいて接続デバイスと接続される。この場合、駆動トルクは、また、形状適合方法である駆動エリア領域２によって、機械加工ツールから接続領域へ伝達される。
【０１８３】
ツールデバイス１は（図示しない）加工対象物または加工対象物配置上で作用するように構成されている操作領域１３を有する。
【符号の説明】
【０１８４】
１        ツール
１ａ      接続デバイス
１ｂ      第２のツール
２        駆動エリア領域／ツール駆動エリア領域
２ａ      ステップ状駆動エリア領域
２ｂ      嵩上げ駆動エリア領域
３        表面点
４        接平面
５        ツール回転軸
６        径平面
７        軸平面
８        境界平面
８ａ      上部境界平面
８ｂ      下部境界平面
９        対称平面
９ｄ      固定ネジ
９ｅ      ワッシャ
９ｆ      ナット部材
９ｇ      タイバーデバイス
１０      カバー表面部
１０ａ    カバー表面部の下部
１１      接続領域
１２      装着デバイス
１３      操作領域
１４      参照平面
１５      参照直径
１６      エンコーディングデバイス
１６ａ    嵩上げエンコーディングデバイス
１６ｂ    凹部を有するエンコーディングデバイス
１７      遷移領域
２２      機械加工ツール
２２ａ    出力スピンドル
２２ｂ    操作レバー
２２ｃ    機械加工ツール回転軸
２２ｄ    出力スピンドルの端部表面
３０      第１の保持デバイス
３０ａ    第１の保持シャフト
３１      第２の保持デバイス
３１ａ    第２の保持シャフト
３２ａ    第２の接続領域
３２ｂ    第２の接続領域
３３      形状適合要素
３４      接続デバイスの第１のサブ部品
３５      接続デバイスの第２のサブ部品
３６      ３４と３５の間の接続領域
α        第１の傾斜角
β        第２の傾斜角
ｔ        側壁の厚み
Ｔ        駆動エリア領域の延伸部
ＲI        駆動エリア領域の湾曲の第１半径
ＲIa        駆動エリア領域の湾曲の可変半径
ＲII        駆動エリア領域の湾曲の第２半径
ａ        駆動エリア領域の直線延伸グリッド線
ｂI        駆動エリア領域の第１の湾曲グリッド線
ｂII        駆動エリア領域の第２の湾曲グリッド線
ｂIa        駆動エリア領域の可変湾曲を有する第３のグリッド線
Δ        １４への距離
θ        ５の方向におけるツールから出力スピンドルへの距離
Ｋ1        平行に間隔を空けた駆動表面エリアのキー幅
Ｋ2        装着デバイスの第１の外側直径
Ｋ3        装着デバイスの第２の外側直径
Ｋ4        参照直径
Ｋ5        丸み領域
Ｋ6        湾曲の第１の半径
Ｋ7        第２の第２の半径
Ｋ8        湾曲の第３半径
Ｋ9        湾曲の第４の半径
Ｋ10        凹部の直径
Ｋ11        装着デバイスの深さ
Ｋ12        多角形の角度
Ｋ13        傾斜角度
【図１】
2020032530.tif 000003
【図２】
2020032530.tif 000004
【図３】
2020032530.tif 000005
【図４】
2020032530.tif 000006
【図５】
2020032530.tif 000007
【図６】
2020032530.tif 000008
【図７】
2020032530.tif 000009
【図８】
2020032530.tif 000010
【図９】
2020032530.tif 000011
【図１０】
2020032530.tif 000012
【図１１】
2020032530.tif 000013
【図１２】
2020032530.tif 000014
【図１３】
2020032530.tif 000015
【図１４】
2020032530.tif 000016
【図１５】
2020032530.tif 000017
【図１６】
2020032530.tif 000018
【図１７】
2020032530.tif 000019
【図１８】
2020032530.tif 000020
【図１９】
2020032530.tif 000021
【図２０】
2020032530.tif 000022
【図２１】
2020032530.tif 000023
【図２２】
2020032530.tif 000024
【図２３】
2020032530.tif 000025
【図２４】
2020032530.tif 000026
【図２５】
2020032530.tif 000027
【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
駆動軸の周囲を回転振動する駆動デバイスを有する機械加工ツールと共に使用するために適したツールデバイスであって、
前記ツールデバイスは、前記駆動軸およびツール回転軸が一致するように前記機械加工ツール内に固定される構成であり、
前記ツールデバイスは、前記駆動デバイスから駆動力を受けるための装着デバイスを備え、
前記装着デバイスは、前記ツール回転軸から空間的に離れた少なくとも２つの駆動エリア領域を備え、
前記少なくとも２つの駆動エリア領域のそれぞれは複数の表面点を有し、
前記表面点上の接平面は前記ツール回転軸を含む軸平面に対して傾斜し、
前記接平面が前記ツール回転軸に垂直に延伸する径平面に対して傾斜し、
前記駆動エリア領域は前記駆動デバイスと係合して前記駆動デバイスから前記装着デバイスに駆動力を伝えるように構成されており、
前記ツールデバイスは、前記装着デバイスの領域内に、少なくとも１つの第１の上部境界平面および少なくとも１つの第２の下部境界平面を備え、
前記上部境界平面および前記下部境界平面は前記ツール回転軸に垂直に配置され、
前記上部境界平面および前記下部境界平面は互いに空間的に離れ、
前記駆動エリア領域のそれぞれは、１つの前記第１の上部境界平面および１つの前記第２の下部境界平面の間に配置され、
前記装着デバイスは側壁を備え、
前記側壁は前記ツール回転軸から径方向に間隔を有して延伸し、
前記側壁は前記第１の上部境界平面および前記第２の下部境界平面の間で延伸し、
前記側壁は前記駆動エリア領域を備えることを特徴とする、ツールデバイス。
【請求項２】
駆動軸の周囲を回転振動する駆動デバイスを有する機械加工ツールと共に使用するために適したツールデバイスであって、
前記ツールデバイスは、前記駆動軸およびツール回転軸が一致するように前記機械加工ツール内に固定される構成であり、
前記ツールデバイスは、前記駆動デバイスから駆動力を受けるための装着デバイスを備え、
前記装着デバイスは、前記ツール回転軸から空間的に離れた少なくとも２つの駆動エリア領域を備え、前記少なくとも２つの駆動エリア領域のそれぞれは複数の表面点を有し、
前記表面点上の接平面は前記ツール回転軸を含む軸平面に対して傾斜し、
前記接平面が前記ツール回転軸に垂直に延伸する径平面に対して傾斜し、
前記駆動エリア領域は前記駆動デバイスと係合して前記駆動デバイスから前記装着デバイスに駆動力を伝えるように構成されており、
前記ツールデバイスは、前記装着デバイスの領域内に、少なくとも１つの第１の上部境界平面および少なくとも１つの第２の下部境界平面を備え、
前記上部境界平面および前記下部境界平面は前記ツール回転軸に垂直に配置され、
前記上部境界平面および前記下部境界平面は互いに空間的に離れ、
前記駆動エリア領域のそれぞれは、１つの前記第１の上部境界平面および１つの前記第２の下部境界平面の間に配置され、
前記装着デバイスはカバーエリア部を備え、
前記カバーエリア部は少なくとも１つの前記駆動エリア領域へ直接的または間接的に接続されており、
前記カバーエリア部の延伸部は前記ツール回転軸に垂直な少なくとも１つの部品を有し、
前記カバーエリア部は、前記上部境界平面の１つの領域内に配置されることを特徴とする、ツールデバイス。
【請求項３】
少なくとも１つの駆動エリア領域が少なくとも平面である部位内に存在する、または少なくとも湾曲部に存在することを特徴とする、請求項１または２に記載のツールデバイス。
【請求項４】
複数の前記駆動エリア領域は単一の前記第１の上部境界平面および単一の前記第２の下部境界平面の間で延伸することを特徴とする、請求項１から３のいずれか一項に記載のツールデバイス。
【請求項５】
前記ツールデバイスは、前記装着デバイス内において、壁厚ｔを有し、
前記第１の上部境界平面および前記第２の下部境界平面は、互いに距離Ｔをおいて空間的に離れ、
前記距離Ｔは前記ｔの１倍より大きく、前記ｔの２０倍より小さいことを特徴とする、請求項１から４のいずれか一項に記載のツールデバイス。
【請求項６】
複数の前記駆動エリア領域は、前記ツール回転軸の周囲に回転的対称的に配置されていることを特徴とする、請求項１から５のいずれか一項に記載のツールデバイス。
【請求項７】
少なくとも２つの前記駆動エリア領域は対称平面内に対称的に配置され、
前記ツール回転軸は前記対称平面内に位置することを特徴とする、請求項１から６のいずれか一項に記載のツールデバイス。
【請求項８】
前記側壁は平均壁厚（ｔ1）を有し、前記平均壁厚は０．２ｍｍ以上で４ｍｍ以下であり、および／または、
前記側壁は前記ツール回転軸の周囲で閉じて径方向に延伸することを特徴とする、請求項１に記載のツールデバイス。
【請求項９】
前記カバーエリア部は前記ツール回転軸の方向の径方向に延伸し、前記カバーエリア部は少なくとも１つの凹部を有することを特徴とする、請求項２又は請求項２に従属する請求項３から８のいずれか一項に記載のツールデバイス。
【請求項１０】
１つまたは複数の前記凹部は、前記ツール回転軸の領域内に配置されることを特徴とする、請求項９に記載のツールデバイス。
【請求項１１】
全ての前記接平面の前記法線ベクトルは、前記ツール回転軸から離れる方向の前記径方向に向く、または
全ての前記接平面の法線ベクトルは前記ツール回転軸の方向の前記径方向に向くことを特徴とする、請求項１から１０のいずれか一項に記載のツールデバイス。
【請求項１２】
前記ツールデバイスは少なくとも１つの操作領域、少なくとも１つの前記装着デバイス、および、少なくとも１つの接続領域を備え、前記操作領域は加工対象物群または加工対象物上に作用するように配置され、
前記接続領域は前記装着デバイスおよびそれぞれの前記操作領域の間に配置されることを特徴とする、請求項１から１１のいずれか一項に記載のツールデバイス。
【請求項１３】
１つの前記接平面と、前記ツール回転軸に垂直に配置される前記径平面との間は角度αをなし、
前記角度αは９０度以下で、０度より大きいことを特徴とする、請求項１から１２のいずれか一項に記載のツールデバイス。
【請求項１４】
１つの前記接平面と、前記ツール回転軸が前記軸平面内に配置される前記軸平面との間が角度βをなし、
前記角度βは、９０度以下で、０度より大きいことを特徴とする請求項１から１３のいずれか一項に記載のツールデバイス。
【請求項１５】
前記装着デバイスは、偶数個の前記駆動エリア領域を有することを特徴とする、請求項１から１４のいずれか一項に記載のツールデバイス。
【請求項１６】
前記装着デバイスは、前記ツール回転軸に直角な断面形状が多角形状で且つその辺が内方に窪んだ形状である星形形状を有し、前記駆動エリア領域が前記星形形状の内方に窪んだ辺に沿って配置されていることを特徴とする、請求項１５に記載のツールデバイス。
【請求項１７】
前記装着デバイスは前記ツール回転軸から径方向に空間的に離れて延伸すると共に前記駆動エリア領域を有する側壁を備える構成によって、前記装着領域の領域内は中空円錐形凹部となり、該凹部は前記ツール回転軸に垂直な平面内において前記ツール回転軸に対する前記側壁の距離が変化する断面部を有することを特徴とする、請求項１から１６のいずれか一項に記載のツールデバイス。
【請求項１８】
駆動軸の周囲で回転振動動作する駆動デバイスを有する機械加工ツールに、ツールアクセサリを接続するのに適した接続デバイスであって、
前記接続デバイスは第１の接続領域および第２の接続領域を備え、
前記第１の接続領域は前記接続デバイスを前記機械加工ツールに接続するために設けられ、前記駆動軸と接続デバイス回転軸とが一致するように、前記接続デバイスを前記機械加工ツールに接続することが可能であり、
前記第２の接続領域は前記接続デバイスを前記ツールアクセサリに接続するために設けられ、
少なくとも１つの前記接続領域に装着デバイスを備え、
前記装着デバイスは、前記接続デバイス回転軸から空間的に離れた少なくとも２つの駆動エリア領域を備え、
前記少なくとも２つの駆動エリア領域のそれぞれは複数の表面点を有し、
前記表面点上の接平面は前記ツール回転軸を含む軸平面に対して傾斜し、
前記接平面が前記接続デバイス回転軸に垂直に延伸する径平面に対して傾斜し、
前記駆動エリア領域は前記駆動デバイスと係合して前記駆動デバイスから前記装着デバイスに駆動力を伝えるように構成されており、
前記接続デバイスは、前記装着デバイスの領域内に、少なくとも１つの第１の上部境界平面および少なくとも１つの第２の下部境界平面を備え、
前記上部境界平面および前記下部境界平面は前記接続デバイス回転軸に垂直に配置され、
前記上部境界平面および前記下部境界平面は互いに空間的に離れ、
前記駆動エリア領域のそれぞれは、１つの前記第１の上部境界平面および１つの前記第２の下部境界平面の間に配置され、
前記装着デバイスは側壁を備え、
前記側壁は前記接続デバイス回転軸から径方向に間隔を有して延伸し、
前記側壁は前記第１の上部境界平面および前記第２の下部境界平面の間で延伸し、
前記側壁は前記駆動エリア領域を備えることを特徴とする、接続デバイス。
【請求項１９】
前記第１の接続領域は前記接続回転軸に対して回転的対称的に配置され、前記第２の接続領域は前記接続回転軸に対して回転的対称的または回転的非対称的に配置されることを特徴とする、請求項１８に記載の接続デバイス。
【請求項２０】
前記接続デバイスは第１の保持デバイスを備え、
前記第１の保持デバイスは少なくとも前記第１の接続領域および前記機械加工ツールと協働するように構成され、
前記接続デバイスは少なくとも１つの第２の保持デバイスを有し、
前記第２の保持デバイスは前記第２の接続領域および前記ツールアクセサリと協働するように構成されていることを特徴とする、請求項１８または１９に記載の接続デバイス。
【請求項２１】
前記第１の保持デバイスは第１の保持シャフトを有し、
前記第２の保持デバイスは第２の保持シャフトを有し、
前記第１の保持シャフトおよび前記第２の保持シャフトは平行に配置される、または互いに傾斜して配置されることを特徴とする、請求項１８から２０のいずれか一項に記載の接続デバイス。
【請求項２２】
請求項２又は請求項２に従属する請求項３から１７のいずれか一項に記載の少なくとも２つのツールデバイスのシリーズであって、
前記シリーズのツールデバイスの各々は参照平面を有し、
前記参照平面は、前記ツール回転軸に対して垂直に配置され、前記参照平面は前記駆動エリア部の参照直径を有し、
前記カバーエリア部の第１の表面の距離Δは、前記シリーズの複数のツールデバイスの前記参照平面上であり、第１の下部リミットと第２の下部リミットとの間に位置し、前記第１の下部リミットは０．０１ｍｍより大きく、前記第２の上部リミットは０．５ｍｍより小さく、
前記距離Δは前記シリーズの異なるツールデバイスの間で一定であることを特徴とする、少なくとも２つのツールデバイスのシリーズ。
【請求項２３】
前記シリーズのツールデバイスは異なる壁厚ｔを有する複数のタイプを有することを特徴とする、請求項２２に記載の少なくとも２つのツールデバイスのシリーズ。
【請求項２４】
前記ツールデバイスのそれぞれは、自身の位置が前記ツール回転軸および前記駆動エリア領域に等しく配置されているエンコーディング領域を有し、
前記ツールデバイスの各々は駆動力における少なくとも１つの応用パラメータによって特徴付けられており、前記エンコーディング領域は、少なくとも１つの応用パラメータを特徴付ける少なくとも１つのエンコーディングデバイスを備え、
少なくとも第１のツールデバイスは、第１のエンコーディング要素と協働する第１のエンコーディングデバイスを有し、
少なくとも第２のツールデバイスは、第２のエンコーディング要素と協働する第２のエンコーディングデバイスを有し、
前記エンコーディングデバイスおよび前記エンコーディング要素は、
前記第１のエンコーディング要素が前記第１のエンコーディングデバイスおよび前記第２のエンコーディングデバイスと協働することが可能となるように構成され、
前記第２のエンコーディング要素が前記第２のエンコーディングデバイスとのみ協働することが可能であり、前記第１のエンコーディングデバイスとは協働することが不可能であるように構成される、
ことを特徴とする、請求項２２または２３に記載の少なくも２つのツールデバイスのシリーズ。
【請求項２５】
少なくとも１つの前記エンコーディングデバイスの基本エリアの形状は、
−  複数の角部を有する多角形
−  円、
−  楕円形、
−  可変半径または一定半径を有する円弧、
−  上記形状の組合せ、
の形状グループから選択されることを特徴とする、請求項２４に記載の少なくも２つのツールデバイスのシリーズ。
【請求項２６】
少なくとも２つの前記エンコーディングデバイスは異なるサイズの同一幾何学的形状を有することを特徴とする、請求項２４または２５に記載の少なくも２つのツールデバイスのシリーズ。
【請求項２７】
少なくとも１つの前記エンコーディングデバイスはエンコーディング参照平面内において嵩上げ領域として設計され、前記エンコーディングデバイスの少なくとも１つの延伸部は他の前記エンコーディングデバイスの対応する延伸部よりも大きい、または
少なくとも１つの前記エンコーディングデバイスは凹部として設計され、
前記エンコーディングデバイスの少なくとも１つの延伸部は他の前記エンコーディングデバイスの対応する延伸部よりも大きいことを特徴とする、請求項２４から２６のいずれか一項に記載の少なくも２つのツールデバイスのシリーズ。
【請求項２８】
前記エンコーディング領域は前記カバーエリア部の領域内に配置されることを特徴とする、請求項２４から２７のいずれか一項に記載の少なくも２つのツールデバイスのシリーズ。
【請求項２９】
請求項１から１７のいずれか一項に記載のツールデバイスを製造する方法であって、
前記方法は、駆動エリア領域を製造するために、鍛造、プレス、圧延、押出、折り曲げ、深絞り、ビーディング加工、フランジ加工、歪み取り、曲げ、延伸、圧縮、焼結、鍛造、多層コーティングのような、基本的な形状形成プロセス・ステップ、または、再形状形成プロセス・ステップ、または、一般的形状形成プロセス・ステップ、または、これら複数の形状形成プロセス・ステップの組合せが用いられ、
ツール輪郭を製造するために、鋸引き、研磨、粉砕、穿孔、剪断、粒子ビーム切断、電子ビーム切断、レーザ切断、プラズマ切断、ガス切断、放電切断のような分離プロセス・ステップ、熱的分離プロセス・ステップ、および／または、機械的分離プロセス・ステップ、または、これらの分離プロセス・ステップの組合せが用いられる、ことを特徴とする、ツールデバイスを製造する方法。